(57)【特許請求の範囲】
【請求項１】
記録及び／又は再生装置とサーバ装置とから成り、
上記記録及び／又は再生装置は、
上記サーバ装置とデータの送受信が可能なように通信する通信手段と、
サムネイル表示を指示する操作に応じて、上記サーバ装置に対して、このサーバ装置が記憶している画像ファイルのサムネイル画像を要求するコマンドを送信するサムネイル要求手段と、
上記サムネイル画像を要求するコマンドに応じて上記サーバ装置から送信されてきたサムネイル画像データを受信して取得するサムネイル画像データ取得手段と、
取得した上記サムネイル画像データを利用して、サムネイル画像が一覧表示される上記サムネイル表示を行うサムネイル表示手段と、
上記サムネイル表示において表示されているサムネイル画像に対して行われた再生指示操作に応じては、サーバ装置に対して、この再生指示操作が行われたサムネイル画像に対応する画像ファイルの送信を要求するコマンドを送信し、子画面において表示されているサムネイル画像に対して行われた再生指示操作に応じては、記録媒体に記憶されていなければ、サーバ装置に対して、この再生指示操作が行われたサムネイル画像に対応する画像ファイルの送信を要求するコマンドを送信する、画像ファイル要求手段と、
上記サーバ装置から送信されてきた画像ファイルを受信して上記記録媒体に記録する記録手段と、
上記画像ファイルを主画面に再生表示させる主画面表示手段と、
上記再生指示操作に応じて、この上記再生指示操作が行われたサムネイル画像に対応する画像ファイルであり、上記記録媒体に記録済みの画像ファイルを主画面に再生表示する主画面表示手段と、
上記画像ファイルが表示される主画面が表示されているときに行われた、サムネイル画像を指定して表示させるためのサムネイル指定表示操作に応じて、上記主画面とともに、取得されたサムネイル画像データのうちから、上記サムネイル指定表示操作により指定されるサムネイル画像データを利用して子画面に表示させる子画面表示手段と、
画像ファイルを主画面に再生表示させているときに、この主画面に表示させている画像ファイルを識別する情報を有し、さらに主画面とともに子画面も表示させている状況であれば、子画面に表示されているサムネイル画像に対応する画像ファイルを識別する情報も有した状況通知を上記サーバ装置に対して送信する状況通知送信手段とを備え、
上記サーバ装置は、
上記記録及び／又は再生装置とデータの送受信が可能なように通信する通信手段と、
画像ファイルを記憶している記憶手段と、
上記サムネイル画像を要求するコマンドの受信に応じて、上記記録及び／又は再生装置に対して、上記記憶手段が記憶している画像ファイルのサムネイル画像データを送信するサムネイル画像データ送信手段と、
上記画像ファイルの送信を要求するコマンドの受信に応じて、上記記録及び／又は再生装置に対して、上記記憶手段が記憶している画像ファイルのうちから要求された画像ファイルを送信する要求対応画像ファイル送信手段と、
上記状況通知の受信に応じて上記記憶手段が記憶している画像ファイルを、記録及び／又は再生装置に対して送信するもので、受信した上記状況通知により主画面のみを表示している状況であることが示される場合にには、この主画面に再生表示されている画像ファイルよりも再生順が後となる画像ファイルにおいて、上記記録媒体に記録されてない画像ファイルのうちから最も再生順の若い画像ファイルを送信し、受信した上記状況通知により主画面とともに子画面も表示している状況であることが示される場合には、この子画面に表示されているサムネイル画像に対応する画像ファイルを送信する、状況通知対応画像ファイル送信手段とを備える、
画像表示システム。
【請求項２】
記録及び／又は再生装置とサーバ装置とから成る画像表示システムにおける画像表示方法であり、
上記記録及び／又は再生装置においては、
上記サーバ装置とデータの送受信が可能なように通信する通信手順と、
サムネイル表示を指示する操作に応じて、上記サーバ装置に対して、このサーバ装置が記憶している画像ファイルのサムネイル画像を要求するコマンドを送信するサムネイル要求手順と、
上記サムネイル画像を要求するコマンドに応じて上記サーバ装置から送信されてきたサムネイル画像データを受信して取得するサムネイル画像データ取得手順と、
取得した上記サムネイル画像データを利用して、サムネイル画像が一覧表示される上記サムネイル表示を行うサムネイル表示手順と、
上記サムネイル表示において表示されているサムネイル画像に対して行われた再生指示操作に応じては、サーバ装置に対して、この再生指示操作が行われたサムネイル画像に対応する画像ファイルの送信を要求するコマンドを送信し、子画面において表示されているサムネイル画像に対して行われた再生指示操作に応じては、記録媒体に記憶されていなければ、サーバ装置に対して、この再生指示操作が行われたサムネイル画像に対応する画像ファイルの送信を要求するコマンドを送信する、画像ファイル要求手順と、
上記サーバ装置から送信されてきた画像ファイルを受信して上記記録媒体に記録する記録手順と、
上記画像ファイルを主画面に再生表示させる主画面表示手順と、
上記再生指示操作に応じて、この上記再生指示操作が行われたサムネイル画像に対応する画像ファイルであり、上記記録媒体に記録済みの画像ファイルを主画面に再生表示する主画面表示手順と、
上記画像ファイルが表示される主画面が表示されているときに行われた、サムネイル画像を指定して表示させるためのサムネイル指定表示操作に応じて、上記主画面とともに、取得されたサムネイル画像データのうちから、上記サムネイル指定表示操作により指定されるサムネイル画像データを利用して子画面に表示させる子画面表示手順と、
画像ファイルを主画面に再生表示させているときに、この主画面に表示させている画像ファイルを識別する情報を有し、さらに主画面とともに子画面も表示させている状況であれば、子画面に表示されているサムネイル画像に対応する画像ファイルを識別する情報も有した状況通知を上記サーバ装置に対して送信する状況通知送信手順とを実行し、
上記サーバ装置は、
上記記録及び／又は再生装置とデータの送受信が可能なように通信する通信手順と、
上記サムネイル画像を要求するコマンドの受信に応じて、上記記録及び／又は再生装置に対して、このサーバ装置が記憶している画像ファイルのサムネイル画像データを送信するサムネイル画像データ送信手順と、
上記画像ファイルの送信を要求するコマンドの受信に応じて、上記記録及び／又は再生装置に対して、このサーバ装置が記憶している画像ファイルのうちから要求された画像ファイルを送信する要求対応画像ファイル送信手順と、
上記状況通知の受信に応じて上記記憶手段が記憶している画像ファイルを、記録及び／又は再生装置に対して送信するもので、受信した上記状況通知により主画面のみを表示している状況であることが示される場合にには、この主画面に再生表示されている画像ファイルよりも再生順が後となる画像ファイルにおいて、上記記録媒体に記録されてない画像ファイルのうちから最も再生順の若い画像ファイルを送信し、受信した上記状況通知により主画面とともに子画面も表示している状況であることが示される場合には、この子画面に表示されているサムネイル画像に対応する画像ファイルを送信する、状況通知対応画像ファイル送信手順とを実行する、
画像表示方法。
【発明の詳細な説明】
【０００１】
【発明の属する技術分野】
本発明は、記録媒体に記録されたデータについて少なくとも再生が可能とされる記録及び／又は再生装置と、このような記録及び／又は再生装置における情報処理方法に関わるものであり、記録媒体に記録されたデータを指定して再生出力させるための構成に関するものとされる。
【０００２】
【従来の技術】
例えば、記録媒体に記録された動画像や静止画等の画像データのファイルを検索するための方法として、いわゆる複数のサムネイル画像を目次的に表示（サムネイル表示）させて検索を行うようにすることが行われている。サムネイル画像とは、記録媒体に記録されているファイルごとに代表となるような、例えば静止画等による代表画面を、１画面内において、通常よりも縮小した形態で表示した画像のことをいう。
【０００３】
図１７（ａ）は、サムネイル表示例を示している。一般にサムネイル表示を行う場合には、例えばこの図に示すように、１つの表示画面Ｐを複数の分割表示領域に分割することが行われる。この場合には、１画面を９つの分割表示領域に分割した場合が示されている。ここでは、便宜上、各分割表示領域に対して▲１▼〜▲９▼で示すナンバを付している。
そして、これら分割表示領域に対して、例えばある記録媒体に記録されているとされるファイルごとのサムネイル画像ＳＮ，ＳＮ，ＳＮ・・・を貼り付けるようにして表示していくものとされる。
【０００４】
このようにしてサムネイル表示を行うようにすることで、例えばユーザは、その記録媒体に記録されている画像ファイルの内容を視覚的に把握することができ、所望のファイルをより迅速かつ的確に検索することが可能となる。
例えば一般には、上記図１７（ａ）のようにして表示された複数のサムネイル画像ＳＮ，ＳＮ，ＳＮ・・・のなかから、ユーザが所望のファイルに対応するサムネイル画像をカーソル等により選択してクリックなどの操作を行うようにされる。すると、例えば記録媒体から、ユーザが選択したサムネイル画像に対応するファイルの画像データが再生され、例えば図１７（ｂ）に示すようにして、表示画面Ｐに対して通常のサイズで表示されるようになっている。
【０００５】
【発明が解決しようとする課題】
ところで、例えば上記図１７にて説明したようにして、サムネイル表示としての検索画面に対して操作を行ってファイルを再生表示させるようなユーザインターフェイスとした場合、このファイルの再生が行われている間は、表示画面Ｐのほぼ全表示領域を使用して再生画像の表示が行われることになる。従って、この間は、表示画面を利用してのファイル検索ができないことになる。
そして、例えば或るファイルを再生しているときに、ユーザが他のファイルを検索したいと思ったとすれば、例えば、これまでのファイル再生を一旦終了させることで、例えば図１７（ｂ）に示した再生画面から再度、図１７（ａ）に示したサムネイル表示画面に戻るようにする必要があることになる。つまり、従来においては、ファイル再生画面を表示させると同時にファイル検索を行うことができないものであり、ユーザの使い勝手を考慮すれば、このようなファイル再生画面を表示させながら検索が行えるようにした機能が与えられることが好ましいことになる。
【０００６】
【課題を解決するための手段】
そこで本発明は上記した課題を考慮して、画像表示システムとして次のように構成する。
つまり、記録及び／又は再生装置とサーバ装置とから成り、上記記録及び／又は再生装置は、上記サーバ装置とデータの送受信が可能なように通信する通信手段と、サムネイル表示を指示する操作に応じて、上記サーバ装置に対して、このサーバ装置が記憶している画像ファイルのサムネイル画像を要求するコマンドを送信するサムネイル要求手段と、上記サムネイル画像を要求するコマンドに応じて上記サーバ装置から送信されてきたサムネイル画像データを受信して取得するサムネイル画像データ取得手段と、取得した上記サムネイル画像データを利用して、サムネイル画像が一覧表示される上記サムネイル表示を行うサムネイル表示手段と、上記サムネイル表示において表示されているサムネイル画像に対して行われた再生指示操作に応じては、サーバ装置に対して、この再生指示操作が行われたサムネイル画像に対応する画像ファイルの送信を要求するコマンドを送信し、子画面において表示されているサムネイル画像に対して行われた再生指示操作に応じては、記録媒体に記憶されていなければ、サーバ装置に対して、この再生指示操作が行われたサムネイル画像に対応する画像ファイルの送信を要求するコマンドを送信する、画像ファイル要求手段と、上記サーバ装置から送信されてきた画像ファイルを受信して上記記録媒体に記録する記録手段と、上記画像ファイルを主画面に再生表示させる主画面表示手段と、上記再生指示操作に応じて、この上記再生指示操作が行われたサムネイル画像に対応する画像ファイルであり、上記記録媒体に記録済みの画像ファイルを主画面に再生表示する主画面表示手段と、上記画像ファイルが表示される主画面が表示されているときに行われた、サムネイル画像を指定して表示させるためのサムネイル指定表示操作に応じて、上記主画面とともに、取得されたサムネイル画像データのうちから、上記サムネイル指定表示操作により指定されるサムネイル画像データを利用して子画面に表示させる子画面表示手段と、画像ファイルを主画面に再生表示させているときに、この主画面に表示させている画像ファイルを識別する情報を有し、さらに主画面とともに子画面も表示させている状況であれば、子画面に表示されているサムネイル画像に対応する画像ファイルを識別する情報も有した状況通知を上記サーバ装置に対して送信する状況通知送信手段とを備え、上記サーバ装置は、上記記録及び／又は再生装置とデータの送受信が可能なように通信する通信手段と、画像ファイルを記憶している記憶手段と、上記サムネイル画像を要求するコマンドの受信に応じて、上記記録及び／又は再生装置に対して、上記記憶手段が記憶している画像ファイルのサムネイル画像データを送信するサムネイル画像データ送信手段と、上記画像ファイルの送信を要求するコマンドの受信に応じて、上記記録及び／又は再生装置に対して、上記記憶手段が記憶している画像ファイルのうちから要求された画像ファイルを送信する要求対応画像ファイル送信手段と、上記状況通知の受信に応じて上記記憶手段が記憶している画像ファイルを、記録及び／又は再生装置に対して送信するもので、受信した上記状況通知により主画面のみを表示している状況であることが示される場合にには、この主画面に再生表示されている画像ファイルよりも再生順が後となる画像ファイルにおいて、上記記録媒体に記録されてない画像ファイルのうちから最も再生順の若い画像ファイルを送信し、受信した上記状況通知により主画面とともに子画面も表示している状況であることが示される場合には、この子画面に表示されているサムネイル画像に対応する画像ファイルを送信する、状況通知対応画像ファイル送信手段とを備えることとした。
【０００７】
また、記録及び／又は再生装置とサーバ装置とから成る画像表示システムにおける画像表示方法として、上記記録及び／又は再生装置においては、上記サーバ装置とデータの送受信が可能なように通信する通信手順と、サムネイル表示を指示する操作に応じて、上記サーバ装置に対して、このサーバ装置が記憶している画像ファイルのサムネイル画像を要求するコマンドを送信するサムネイル要求手順と、上記サムネイル画像を要求するコマンドに応じて上記サーバ装置から送信されてきたサムネイル画像データを受信して取得するサムネイル画像データ取得手順と、取得した上記サムネイル画像データを利用して、サムネイル画像が一覧表示される上記サムネイル表示を行うサムネイル表示手順と、上記サムネイル表示において表示されているサムネイル画像に対して行われた再生指示操作に応じては、サーバ装置に対して、この再生指示操作が行われたサムネイル画像に対応する画像ファイルの送信を要求するコマンドを送信し、子画面において表示されているサムネイル画像に対して行われた再生指示操作に応じては、記録媒体に記憶されていなければ、サーバ装置に対して、この再生指示操作が行われたサムネイル画像に対応する画像ファイルの送信を要求するコマンドを送信する、画像ファイル要求手順と、上記サーバ装置から送信されてきた画像ファイルを受信して上記記録媒体に記録する記録手順と、上記画像ファイルを主画面に再生表示させる主画面表示手順と、上記再生指示操作に応じて、この上記再生指示操作が行われたサムネイル画像に対応する画像ファイルであり、上記記録媒体に記録済みの画像ファイルを主画面に再生表示する主画面表示手順と、上記画像ファイルが表示される主画面が表示されているときに行われた、サムネイル画像を指定して表示させるためのサムネイル指定表示操作に応じて、上記主画面とともに、取得されたサムネイル画像データのうちから、上記サムネイル指定表示操作により指定されるサムネイル画像データを利用して子画面に表示させる子画面表示手順と、
画像ファイルを主画面に再生表示させているときに、この主画面に表示させている画像ファイルを識別する情報を有し、さらに主画面とともに子画面も表示させている状況であれば、子画面に表示されているサムネイル画像に対応する画像ファイルを識別する情報も有した状況通知を上記サーバ装置に対して送信する状況通知送信手順とを実行し、上記サーバ装置は、上記記録及び／又は再生装置とデータの送受信が可能なように通信する通信手順と、上記サムネイル画像を要求するコマンドの受信に応じて、上記記録及び／又は再生装置に対して、このサーバ装置が記憶している画像ファイルのサムネイル画像データを送信するサムネイル画像データ送信手順と、上記画像ファイルの送信を要求するコマンドの受信に応じて、上記記録及び／又は再生装置に対して、このサーバ装置が記憶している画像ファイルのうちから要求された画像ファイルを送信する要求対応画像ファイル送信手順と、上記状況通知の受信に応じて上記記憶手段が記憶している画像ファイルを、記録及び／又は再生装置に対して送信するもので、受信した上記状況通知により主画面のみを表示している状況であることが示される場合にには、この主画面に再生表示されている画像ファイルよりも再生順が後となる画像ファイルにおいて、上記記録媒体に記録されてない画像ファイルのうちから最も再生順の若い画像ファイルを送信し、受信した上記状況通知により主画面とともに子画面も表示している状況であることが示される場合には、この子画面に表示されているサムネイル画像に対応する画像ファイルを送信する、状況通知対応画像ファイル送信手順とを実行することとした。
【００１０】
上記各構成によれば、画像についての表示にあたり、１つの表示画面上において、主画面による表示と子画面による表示との２つの表示領域による表示とが同時に行われる。そして主画面の表示領域においては再生出力すべき画像ファイルの再生表示が行われ、子画面においてはサムネイル画像を表示する。そのうえで第２の表示領域に表示されるサムネイル画像の画像ファイルを再生するための操作も可能とされる。
これは、即ち画像ファイルの再生表示と同時に、他の画像ファイルを視覚的に把握し得る情報を表示させているものであり、更に、子画面に対して再生操作が行えることを意味する。
【００１１】
【発明の実施の形態】
以下、本発明の実施の形態について説明していく。
本実施の形態の記録及び／又は再生装置としては、カメラ装置部と画像（静止画又は動画）及び音声等の記録再生が可能な記録再生装置部とが一体化された可搬型のビデオカメラに搭載されている場合を例にあげる。また、本実施の形態のビデオカメラに搭載される記録再生装置部は、光磁気ディスクの一種として知られている、いわゆるミニディスクに対応してデータを記録再生する構成を採るものとされる。
説明は次の順序で行う。
１．ディスクフォーマット
２．ビデオカメラの外観構成
３．ビデオカメラの内部構成
４．メディアドライブ部の構成
５．本実施の形態に対応するディスク構造例
６．サムネイル画像生成処理
７．スクリプト
８．操作画面表示
９．本実施の形態のファイル検索機能
９−１．第１例
９−２．第２例
【００１２】
１．ディスクフォーマット
本例のビデオカメラに搭載される記録再生装置部は、ミニディスク（光磁気ディスク）に対応してデータの記録／再生を行う、ＭＤデータといわれるフォーマットに対応しているものとされる。このＭＤデータフォーマットとしては、ＭＤ−ＤＡＴＡ１とＭＤ−ＤＡＴＡ２といわれる２種類のフォーマットが開発されているが、本例のビデオカメラは、ＭＤ−ＤＡＴＡ１よりも高密度記録が可能とされるＭＤ−ＤＡＴＡ２のフォーマットに対応して記録再生を行うものとされている。そこで、先ずＭＤ−ＤＡＴＡ２のディスクフォーマットについて説明する。
【００１３】
図１及び図２は、ＭＤ−ＤＡＴＡ２としてのディスクのトラック構造例を概念的に示している。図２（ａ）（ｂ）は、それぞれ図１の破線Ａで括った部分を拡大して示す断面図及び平面図である。
これらの図に示すように、ディスク面に対してはウォブル（蛇行）が与えられたウォブルドグルーブＷＧと、ウォブルが与えられていないノンウォブルドグルーブＮＷＧとの２種類のグルーブ（溝）が予め形成される。そして、これらウォブルドグルーブＷＧとノンウォブルドグルーブＮＷＧは、その間にランドＬｄを形成するようにしてディスク上において２重のスパイラル状に存在する。
【００１４】
ＭＤ−ＤＡＴＡ２フォーマットでは、ランドＬｄが記録トラック（データが記録されるトラック）として利用されるのであるが、上記のようにしてウォブルドグルーブＷＧとノンウォブルドグルーブＮＷＧが形成されることから、記録トラックとしてもトラックＴｒ・Ａ，Ｔｒ・Ｂの２つのトラックがそれぞれ独立して、２重のスパイラル（ダブルスパイラル）状に形成されることになる。
トラックＴｒ・Ａは、ディスク外周側にウォブルドグルーブＷＧが位置し、ディスク内周側にノンウォブルドグルーブＮＷＧが位置するトラックとなる。
これに対してトラックＴｒ・Ｂは、ディスク内周側にウォブルドグルーブＷＧが位置し、ディスク外周側にノンウォブルドグルーブＮＷＧが位置するトラックとなる。
つまり、トラックＴｒ・Ａに対してはディスク外周側の片側のみにウォブルが形成され、トラックＴｒ・Ｂとしてはディスク内周側の片側のみにウォブルが形成されるようにしたものとみることができる。
この場合、トラックピッチは、互いに隣接するトラックＴｒ・ＡとトラックＴｒ・Ｂの各センター間の距離となり、図２（ｂ）に示すようにトラックピッチは０．９５μｍとされている。
【００１５】
ここで、ウォブルドグルーブＷＧとしてのグルーブに形成されたウォブルは、ディスク上の物理アドレスがＦＭ変調＋バイフェーズ変調によりエンコードされた信号に基づいて形成されているものである。このため、記録再生時においてウォブルドグルーブＷＧに与えられたウォブリングから得られる再生情報を復調処理することで、ディスク上の物理アドレスを抽出することが可能となる。
また、ウォブルドグルーブＷＧとしてのアドレス情報は、トラックＴｒ・Ａ，Ｔｒ・Ｂに対して共通に有効なものとされる。つまり、ウォブルドグルーブＷＧを挟んで内周に位置するトラックＴｒ・Ａと、外周に位置するトラックＴｒ・Ｂは、そのウォブルドグルーブＷＧに与えられたウォブリングによるアドレス情報を共有するようにされる。
なお、このようなアドレッシング方式はインターレースアドレッシング方式ともいわれる。このインターレースアドレッシング方式を採用することで、例えば、隣接するウォブル間のクロストークを抑制した上でトラックピッチを小さくすることが可能となるものである。また、グルーブに対してウォブルを形成することでアドレスを記録する方式については、ＡＤＩＰ(Adress In Pregroove) 方式ともいう。
【００１６】
また、上記のようにして同一のアドレス情報を共有するトラックＴｒ・Ａ，Ｔｒ・Ｂの何れをトレースしているのかという識別は次のようにして行うことができる。
例えば３ビーム方式を応用し、メインビームがトラック（ランドＬｄ）をトレースしている状態では、残る２つのサイドビームは、上記メインビームがトレースしているトラックの両サイドに位置するグルーブをトレースしているようにすることが考えられる。
【００１７】
図２（ｂ）には、具体例として、メインビームスポットＳＰｍがトラックＴｒ・Ａをトレースしている状態が示されている。この場合には、２つのサイドビームスポットＳＰｓ１，ＳＰｓ２のうち、内周側のサイドビームスポットＳＰｓ１はノンウォブルドグルーブＮＷＧをトレースし、外周側のサイドビームスポットＳＰｓ２はウォブルドグルーブＷＧをトレースすることになる。
これに対して、図示しないが、メインビームスポットＳＰｍがトラックＴｒ・Ｂをトレースしている状態であれば、サイドビームスポットＳＰｓ１がウォブルドグルーブＷＧをトレースし、サイドビームスポットＳＰｓ２がノンウォブルドグルーブＮＷＧをトレースすることになる。
このように、メインビームスポットＳＰｍが、トラックＴｒ・Ａをトレースする場合とトラックＴｒ・Ｂをトレースする場合とでは、サイドビームスポットＳＰｓ１，ＳＰｓ２がトレースすべきグルーブとしては、必然的にウォブルドグルーブＷＧとノンウォブルドグルーブＮＷＧとで入れ替わることになる。
【００１８】
サイドビームスポットＳＰｓ１，ＳＰｓ２の反射によりフォトディテクタにて得られる検出信号としては、ウォブルドグルーブＷＧとノンウォブルドグルーブＮＷＧの何れをトレースしているのかで異なる波形が得られることから、上記検出信号に基づいて、例えば、現在サイドビームスポットＳＰｓ１，ＳＰｓ２のうち、どちらがウォブルドグルーブＷＧ（あるいはノンウォブルドグルーブＮＷＧ）をトレースしているのかを判別することにより、メインビームがトラックＴｒ・Ａ，Ｔｒ・Ｂのどちらをトレースしているのかが識別できることになる。
【００１９】
図３は、上記のようなトラック構造を有するＭＤ−ＤＡＴＡ２フォーマットのの主要スペックをＭＤ−ＤＡＴＡ１フォーマットと比較して示す図である。
先ず、ＭＤ−ＤＡＴＡ１フォーマットとしては、トラックピッチは１．６μｍ、ピット長は０．５９μｍ／ｂｉｔとなる。また、レーザ波長λ＝７８０ｎｍとされ、光学ヘッドの開口率ＮＡ＝０．４５とされる。
記録方式としては、グルーブ記録方式を採っている。つまり、グルーブをトラックとして記録再生に用いるようにしている。
アドレス方式としては、シングルスパイラルによるグルーブ（トラック）を形成したうえで、このグルーブの両側に対してアドレス情報としてのウォブルを形成したウォブルドグルーブを利用する方式を採るようにされている。
【００２０】
記録データの変調方式としてはＥＦＭ（８−１４変換）方式を採用している。また、誤り訂正方式としてはＡＣＩＲＣ(Advanced Cross Interleave Reed-Solomon Code) が採用され、データインターリーブには畳み込み型を採用している。このため、データの冗長度としては４６．３％となる。
【００２１】
また、ＭＤ−ＤＡＴＡ１フォーマットでは、ディスク駆動方式としてＣＬＶ(Constant Linear Verocity)が採用されており、ＣＬＶの線速度としては、１．２ｍ／ｓとされる。
そして、記録再生時の標準のデータレートとしては、１３３ｋＢ／ｓとされ、記録容量としては、１４０ＭＢとなる。
【００２２】
これに対して、本例のビデオカメラが対応できるＭＤ−ＤＡＴＡ２フォーマットとしては、トラックピッチは０．９５μｍ、ピット長は０．３９μｍ／ｂｉｔとされ、共にＭＤ−ＤＡＴＡ１フォーマットよりも短くなっていることが分かる。そして、例えば上記ピット長を実現するために、レーザ波長λ＝６５０ｎｍ、光学ヘッドの開口率ＮＡ＝０．５２として、合焦位置でのビームスポット径を絞ると共に光学系としての帯域を拡げている。
【００２３】
記録方式としては、図１及び図２により説明したように、ランド記録方式が採用され、アドレス方式としてはインターレースアドレッシング方式が採用される。また、記録データの変調方式としては、高密度記録に適合するとされるＲＬＬ（１，７）方式（ＲＬＬ；Run Length Limited）が採用され、誤り訂正方式としてはＲＳ−ＰＣ方式、データインターリーブにはブロック完結型が採用される。そして、上記各方式を採用した結果、データの冗長度としては、１９．７％にまで抑制することが可能となっている。
【００２４】
ＭＤ−ＤＡＴＡ２フォーマットにおいても、ディスク駆動方式としてはＣＬＶが採用されるのであるが、その線速度としては２．０ｍ／ｓとされ、記録再生時の標準のデータレートとしては５８９ｋＢ／ｓとされる。そして、記録容量としては６５０ＭＢを得ることができ、ＭＤ−ＤＡＴＡ１フォーマットと比較した場合には、４倍強の高密度記録化が実現されたことになる。
例えば、ＭＤ−ＤＡＴＡ２フォーマットにより動画像の記録を行うとして、動画像データについてＭＰＥＧ２による圧縮符号化を施した場合には、符号化データのビットレートにも依るが、時間にして１５分〜１７分の動画を記録することが可能とされる。また、音声信号データのみを記録するとして、音声データについてＡＴＲＡＣ(Adaptve Transform Acoustic Coding) ２による圧縮処理を施した場合には、時間にして１０時間程度の記録を行うことができる。
【００２５】
２．ビデオカメラの外観構成
次に本例のビデオカメラの外観例について説明しておく。
図６（ａ）（ｂ）、図７（ａ）（ｂ）は、それぞれ、本例のビデオカメラの平面図、側面図、正面図、背面図である。
これらの図に示すように、本例のビデオカメラの本体２００の正面部には、撮影を行うための撮像レンズや絞りなどを備えたカメラレンズ２０１が表出するようにして設けられる。また、同じ本体２００の背面部下側には、撮影時において外部の音声を収音するためのマイクロフォン２０２が設けられている。つまり、このビデオカメラでは、カメラレンズ２０１により撮影した画像の録画と、マイクロフォン２０２により収音したステレオ音声の録音を行うことが可能とされている。また、ここでは、マイクロフォン２０２と同じ位置に再生音声を出力するためのスピーカ２０５も備えられているものとしている。また、スピーカ２０５からはビープ音等による所要のメッセージ音も出力される。
【００２６】
また、本体２００の背面側には、ビューファインダ２０４が設けられており、記録動作中及びスタンバイ中等においては、カメラレンズ２０１から取り込まれる画像（スルー画ともいう）及びキャラクタ画像等が表示される。ユーザーはこのビューファインダ２０４をみながら撮影を行うことができる。
また、後述するメインダイヤル３００、レリーズキー３０１、削除キー３０２が設けられた部位は電池蓋部２０６として開閉可能となっており、この電池蓋部２０６を開くことで、バッテリ（充電池）を装脱することが可能となっている。
【００２７】
また、本体２００の側面側には、可動パネル部２０３が備えられている。この可動支持部２０８によって支持されていることで、本体２００に対して可動可能に取り付けられている。この可動パネル部２０３の動きについては後述する。
【００２８】
また、可動パネル部２０３の背面側には表示パネル６７（表示画面）が設けられている。従って、図６（ｂ）に示すように可動パネル部２０３が収納状態にあるときは、表示パネル６７は本体側に向いて格納される状態となる。
【００２９】
表示パネル６７は、撮影画像、及び内部の記録再生装置により再生された画像等を表示出力するための部位とされる。また、機器の動作に応じて所要のメッセージをユーザに知らせるための文字やキャラクタ等によるメッセージ表示等も行われる。なお、この表示パネル６７として実際に採用する表示デバイスは、ここでは特に限定されるものではないが、例えば液晶ディスプレイ等が用いられればよい。
また、表示パネル６７は、例えば液晶ディスプレイの表示面の背面側に対して、押圧操作を関知してこれを操作情報として出力するタッチパネルが設けられている。つまり、本実施の形態にあっては、表示パネル６７に表示された画像に対して押圧操作を行う、いわゆるＧＵＩとしての操作が可能とされる。
ここで、表示パネル６７に対する操作としては、タッチパネルに対して押圧力が加わった位置を座標位置情報として検知する構成とされていることから、指などによって操作されてもよいのものとされる。しかし、表示パネル６７の表示面積に制限があって、そのポインティングの操作も指では困難な場合があることを考慮して、図６（ｂ）に示すように、スティック形状のペン３２０が添え付けされる。ユーザは、指の代わりにこのペン３２０を使用して表示パネル６７に対するポインティング（タッチ）操作を行うことができる。
【００３０】
また、可動パネル部２０３が収納される本体部２００側の部位がディスク装脱部２０５となっており、このディスク装脱部２０５において、本例のビデオカメラが対応する記録媒体としてのディスクを挿入、あるいは排出させることができる。
【００３１】
また、ここでは図示していないが、実際には、外部の映像機器に対して再生画像信号等を出力するビデオ出力端子や、外部の音声機器やヘッドホンに対して再生音声信号を出力するヘッドフォン／ライン端子等が設けられている。また、外部のデータ機器とデータ伝送を行うためのインターフェイス機能に対応してＩ／Ｆ端子等も設けられている。
【００３２】
さらに、本体２００の各部には、ユーザー操作のための各種の操作子が設けられる。以下、主要となる各操作子について説明する。
メインダイヤル３００は、図７（ｂ）に示されるようにして本体２００の背面側に設けられ、ビデオカメラのオン／オフ、記録動作、再生動作を設定する操作子とされる。この場合には、回転操作が行えるものとなっている。
メインダイヤル３００が電源オフ位置ＰＳ２にある場合には電源がオフの状態にある。そして、例えばこの状態からメインダイヤル３００を回転操作して再生／編集位置ＰＳ１とすれば、電源オンの状態となって、録画ファイルの再生や、各種編集操作が可能なモード状態となる。また、カメラモード位置ＰＳ２とすれば、電源オンの状態で、動画、又は静止画としての録画ファイルを記録可能なモード（カメラモード）となる。更に、カメラモード位置ＰＳ２とすれば、インタビューモードとなる。
インタビューモードとは、ここでは詳しい説明は省略するが、記録動作としては、音声主体で記録を行って、任意の時点で、後述するレリーズキー３０１又はフォトキー３０４を押圧操作すれば、その時点で撮影されている画像を静止画として記録するモードである。そして、インタビューモードの再生では、このインタビューモードによって記録された録画ファイルを再生するものである。このときには、例えば音声を再生しながら記録時のタイミングで、静止画を切り換えるようにして表示させていく。
【００３３】
また、メインダイヤル３００の回転部中央には、レリーズキー３０１が備えられる。
このレリーズキー３０１は、カメラモード又はインタビューモードにある状態で記録開始／終了のための操作子として機能するものである。
【００３４】
また、本体２００背面部にはジョグダイヤル３０３も設けられる。ジョグダイヤル３０３は、円盤状の操作子とされ、正／逆方向に回転操作可能に取り付けられていると共に、所定の回転角度ごとにクリック感が得られるようになっている。ここでは、図７（ｂ）において示される、矢印マーク３０３ａの上側方向に沿う回転方向が正方向となり、下側方向に沿う回転方向が逆方向となる。また、この場合のジョグダイヤル３１１は、図７（ｂ）において矢印マーク３０３ｂが示す左方向に対して押圧操作が行えるようにもなっている。
このジョグダイヤル３０３は、例えば実際には、例えば２相式のロータリエンコーダなどと組み合わされることで、例えば１クリックが１回転ステップとなるようにして、その回転方向と回転角度に対応した回転ステップ数の情報を出力する。
【００３５】
削除キー３０２は、所定のモードで再生されているデータについて、削除を行うための決定キーとして機能する。
【００３６】
また、主としては図６（ａ）に示されるように、本体２００側面部においてはやや上向きの状態でフォトキー３０４、ズームキー３０５，フォーカスキー３０６，及び逆光補正キー３０７が備えられる。
フォトキー３０４は、例えばカメラモードの状態で押圧操作することで静止画の録画ファイルを記録するためのシャッターとして機能する操作子である。
【００３７】
ズームキー３０５は、レンズ光学系（カメラレンズ２０１）におけるズーム状態（テレ側〜ワイド側）を操作する操作子である。
フォーカスキー３０６は、レンズ光学系のフォーカス状態（例えばノーマル／無限など）を切り換えるための操作子である。
逆光補正キー３０７は、逆光補正機能をオン／オフするための操作子である。
【００３８】
また、図６（ｂ）に示すようにして、可動パネル部２０３が配置される側の本体２００側面部には、主としてファイル（トラック）の記録再生に関するキーとして、再生／ポーズキー３０８、停止キー３０９、スロー再生キー３１０、サーチキー３１１，３１２、録音キー３１３が設けられる。
また、図６（ａ）に示すように、本体２００の上面部には、画面表示のための画面表示キー３１４と、スピーカからの出力音声の音量調節のための音量キー３１５，３１６が設けられる。
【００３９】
なお、上記図６及び図７に示すビデオカメラの外観はあくまでも一例であって、実際に本例のビデオカメラに要求される使用条件等に応じて適宜変更されて構わないものである。もちろん操作子の種類や操作方式、さらに外部機器との接続端子類などは各種多様に考えられる。
【００４０】
また、図８により、先に述べた可動パネル部２０３の動き方について説明しておく。なお、図８にあっては、説明の便宜上、ビデオカメラの外観は簡略化して示している。
可動パネル部２０３の動きとしては、先ず、図６（ｂ）に示した位置状態から図８（ａ）に示すようにして矢印ＹＪ１の方向に沿って引き起こすようにしてその位置状態を変えることができるようになっている。
この場合、表示画面（表示パネル６７）は撮影者（ビューファインダ２０４）側に向くようにされ、撮像画像を捉えるカメラレンズ２０１とはほぼ対向する方向を向くことになる。この表示パネルの位置状態では、例えばビデオカメラを所持する撮影者が表示パネル６７に表示された撮像画像をモニタしながら撮影（録画）を行うことができる。
【００４１】
また、上記図８（ａ）に示す状態から矢印ＹＪ２の方向に沿って約１８０°程度の範囲で可動パネル部２０３を回転させることができるようになっている。つまり、図８（ｂ）に示すようにして、表示パネル６７が被写体（カメラレンズ）側を向く位置状態とすることができる。
この状態では、被写体側にいるユーザが撮像画像を見ることができることになる。
ディスク装脱部２０５に対してディスクの挿入を行ったり、ディスクの取り出しを行ったりする場合には、この図８（ａ）（ｂ）に示すようにして、本体２００から可動パネル部２０３を起こした状態で行うようにされる。
【００４２】
また、図８（ｂ）に示す状態から矢印ＹＪ３の方向に可動パネル部２０３を動かすこともできる。このようにすれば、図示はしないが、表示パネル６７が外側から見える状態で、可動パネル部２０３が収納位置にあるようにされることになる。
【００４３】
なお、上述のようにして矢印ＹＪ２の方向に沿って表示パネルを回転させると、表示パネル６７が撮影者側に向いたときと被写体側に向いたときとでは、そのままでは表示画像の見え方が上下左右で反転することになるが、本実施の形態では、可動パネル部２０３の回動状態に応じて、表示パネル６７の表示画像が常にユーザ（撮影者及び被写体）から適正な方向で見えるように反転表示制御を行うことでこのような不都合を解消している。
【００４４】
３．ビデオカメラの内部構成
図４は、本例のビデオカメラの内部構成例を示すブロック図である。
この図に示すレンズブロック１においては、例えば実際には撮像レンズや絞りなどを備えて構成される光学系１１が備えられている。上記図６に示したカメラレンズ２０１は、この光学系１１に含まれる。また、このレンズブロック１には、光学系１１に対してオートフォーカス動作を行わせるためのフォーカスモータや、上記ズームキー３０４の操作に基づくズームレンズの移動を行うためのズームモータなどが、モータ部１２として備えられる。
【００４５】
カメラブロック２には、主としてレンズブロック１により撮影した画像光をデジタル画像信号に変換するための回路部が備えられる。
このカメラブロック２のＣＣＤ(Charge Coupled Device) ２１に対しては、光学系１１を透過した被写体の光画像が与えられる。ＣＣＤ２１においては上記光画像について光電変換を行うことで撮像信号を生成し、サンプルホールド／ＡＧＣ(Automatic Gain Control)回路２２に供給する。サンプルホールド／ＡＧＣ回路２２では、ＣＣＤ２１から出力された撮像信号についてゲイン調整を行うと共に、サンプルホールド処理を施すことによって波形整形を行う。サンプルホールド／ＡＧＣ回路２の出力は、ビデオＡ／Ｄコンバータ２３に供給されることで、デジタルとしての画像信号データに変換される。
【００４６】
上記ＣＣＤ２１、サンプルホールド／ＡＧＣ回路２２、ビデオＡ／Ｄコンバータ２３における信号処理タイミングは、タイミングジェネレータ２４にて生成されるタイミング信号により制御される。タイミングジェネレータ２４では、後述するデータ処理／システムコントロール回路３１（ビデオ信号処理回部３内）にて信号処理に利用されるクロックを入力し、このクロックに基づいて所要のタイミング信号を生成するようにされる。これにより、カメラブロック２における信号処理タイミングを、ビデオ信号処理部３における処理タイミングと同期させるようにしている。
カメラコントローラ２５は、カメラブロック２内に備えられる上記各機能回路部が適正に動作するように所要の制御を実行すると共に、レンズブロック１に対してオートフォーカス、自動露出調整、絞り調整、ズームなどのための制御を行うものとされる。
例えばオートフォーカス制御であれば、カメラコントローラ２５は、所定のオートフォーカス制御方式に従って得られるフォーカス制御情報に基づいて、フォーカスモータの回転角を制御する。これにより、撮像レンズはジャストピント状態となるように駆動されることになる。
【００４７】
ビデオ信号処理部３は、記録時においては、カメラブロック２から供給されたデジタル画像信号、及びマイクロフォン２０２により集音したことで得られるデジタル音声信号について圧縮処理を施し、これら圧縮データをユーザ記録データとして後段のメディアドライブ部４に供給する。さらにカメラブロック２から供給されたデジタル画像信号とキャラクタ画像により生成した画像をビューファインダドライブ部２０７に供給し、ビューファインダ２０４に表示させる。
また、再生時においては、メディアドライブ部４から供給されるユーザ再生データ（ディスク５１からの読み出しデータ）、つまり圧縮処理された画像信号データ及び音声信号データについて復調処理を施し、これらを再生画像信号、再生音声信号として出力する。
【００４８】
なお本例において、画像信号データ（画像データ）の圧縮／伸張処理方式としては、動画像についてはＭＰＥＧ(Moving Picture Experts Group)２を採用し、静止画像についてはＪＰＥＧ(Joint Photographic Coding Experts Group) を採用しているものとする。また、音声信号デーのタ圧縮／伸張処理方式には、ＡＴＲＡＣ(Adaptve Transform Acoustic Coding) ２を採用するものとする。
【００４９】
ビデオ信号処理部３のデータ処理／システムコントロール回路３１は、主として、当該ビデオ信号処理部３における画像信号データ及び音声信号データの圧縮／伸張処理に関する制御処理と、ビデオ信号処理部３を経由するデータの入出力を司るための処理を実行する。
また、データ処理／システムコントロール回路３１を含むビデオ信号処理部３全体についての制御処理は、ビデオコントローラ３８が実行するようにされる。このビデオコントローラ３８は、例えばマイクロコンピュータ等を備えて構成され、カメラブロック２のカメラコントローラ２５、及び後述するメディアドライブ部４のドライバコントローラ４６と、例えば図示しないバスライン等を介して相互通信可能とされている。即ち、ビデオコントローラ３８はシステム全体を制御するマスターコントローラとして機能する。
【００５０】
また、ビデオコントローラ３８に対してはプログラムメモリ３９が備えられる。
このプログラムメモリ３９は、例えばＥＥＰＲＯＭやフラッシュメモリなどの書き換え可能な記憶素子により構成され、ここにはマスターコントローラであるビデオコントローラ３８が実行すべき各種プログラムを始めとし、各種設定データなどの情報が格納される。
【００５１】
ビデオ信号処理部３における記録時の基本的な動作として、データ処理／システムコントロール回路３１には、カメラブロック２のビデオＡ／Ｄコンバータ２３から供給された画像信号データが入力される。データ処理／システムコントロール回路３１では、入力された画像信号データを例えば動き検出回路３５に供給する。動き検出回路３５では、例えばメモリ３６を作業領域として利用しながら入力された画像信号データについて動き補償等の画像処理を施した後、ＭＰＥＧ２ビデオ信号処理回路３３に供給する。
【００５２】
ＭＰＥＧ２ビデオ信号処理回路３３においては、例えばメモリ３４を作業領域として利用しながら、入力された画像信号データについてＭＰＥＧ２のフォーマットに従って圧縮処理を施し、動画像としての圧縮データのビットストリーム（ＭＰＥＧ２ビットストリーム）を出力するようにされる。また、ＭＰＥＧ２ビデオ信号処理回路３３では、例えば動画像としての画像信号データから静止画としての画像データを抽出してこれに圧縮処理を施す際には、ＪＰＥＧのフォーマットに従って静止画としての圧縮画像データを生成するように構成されている。なお、ＪＰＥＧは採用せずに、ＭＰＥＧ２のフォーマットによる圧縮画像データとして、正規の画像データとされるＩピクチャ(Intra Picture) を静止画の画像データとして扱うことも考えられる。
ＭＰＥＧ２ビデオ信号処理回路３３により圧縮符号化された画像信号データ（圧縮画像データ）は、例えば、バッファメモリ３２に対して所定の転送レートにより書き込まれて一時保持される。
なおＭＰＥＧ２のフォーマットにおいては、周知のようにいわゆる符号化ビットレート（データレート）として、一定速度（ＣＢＲ；Constant Bit Rate)と、可変速度（ＶＢＲ；Variable Bit Rate)の両者がサポートされており、ビデオ信号処理部３ではこれらに対応できるものとしている。
【００５３】
例えばＶＢＲによる画像圧縮処理を行う場合には、例えば、動き検出回路３５において、画像データをマクロブロック単位により前後数十〜数百フレーム内の範囲で動き検出を行って、動きありとされればこの検出結果を動きベクトル情報としてＭＰＥＧ２ビデオ信号処理回路３３に伝送する。
ＭＰＥＧ２ビデオ信号処理回路３３では、圧縮符号化後の画像データをある所要のデータレートとするように、上記動きベクトル情報をはじめとする所要の情報を利用しながら、マクロブロックごとの量子化係数を決定していくようにされる。
【００５４】
音声圧縮エンコーダ／デコーダ３７には、Ａ／Ｄコンバータ６４（表示／画像／音声入出力部６内）を介して、例えばマイクロフォン２０２により集音された音声がデジタルによる音声信号データとして入力される。
音声圧縮エンコーダ／デコーダ３７では、前述のようにＡＴＲＡＣ２のフォーマットに従って入力された音声信号データに対する圧縮処理を施す。この圧縮音声信号データもまた、データ処理／システムコントロール回路３１によってバッファメモリ３２に対して所定の転送レートによる書き込みが行われ、ここで一時保持される。
【００５５】
上記のようにして、バッファメモリ３２には、圧縮画像データ及び圧縮音声信号データが蓄積可能とされる。バッファメモリ３２は、主として、カメラブロック２あるいは表示／画像／音声入出力部６とバッファメモリ３２間のデータ転送レートと、バッファメモリ３２とメディアドライブ部４間のデータ転送レートの速度差を吸収するための機能を有する。
バッファメモリ３２に蓄積された圧縮画像データ及び圧縮音声信号データは、記録時であれば、順次所定タイミングで読み出しが行われて、メディアドライブ部４のＭＤ−ＤＡＴＡ２エンコーダ／デコーダ４１に伝送される。ただし、例えば再生時においてバッファメモリ３２に蓄積されたデータの読み出しと、この読み出したデータをメディアドライブ部４からデッキ部５を介してディスク５１に記録するまでの動作は、間欠的に行われても構わない。
このようなバッファメモリ３２に対するデータの書き込み及び読み出し制御は、例えば、データ処理／システムコントロール回路３１によって実行される。
【００５６】
ビデオ信号処理部３における再生時の動作としては、概略的に次のようになる。
再生時には、ディスク５１から読み出され、ＭＤ−ＤＡＴＡ２エンコーダ／デコーダ４１（メディアドライブ部４内）の処理によりＭＤ−ＤＡＴＡ２フォーマットに従ってデコードされた圧縮画像データ、圧縮音声信号データ（ユーザ再生データ）が、データ処理／システムコントロール回路３１に伝送されてくる。
データ処理／システムコントロール回路３１では、例えば入力した圧縮画像データ及び圧縮音声信号データを、一旦バッファメモリ３２に蓄積させる。そして、例えば再生時間軸の整合が得られるようにされた所要のタイミング及び転送レートで、バッファメモリ３２から圧縮画像データ及び圧縮音声信号データの読み出しを行い、圧縮画像データについてはＭＰＥＧ２ビデオ信号処理回路３３に供給し、圧縮音声信号データについては音声圧縮エンコーダ／デコーダ３７に供給する。
【００５７】
ＭＰＥＧ２ビデオ信号処理回路３３では、入力された圧縮画像データについて伸張処理を施して、データ処理／システムコントロール回路３１に伝送する。データ処理／システムコントロール回路３１では、この伸張処理された画像信号データを、ビデオＤ／Ａコンバータ６１（表示／画像／音声入出力部６内）に供給する。
音声圧縮エンコーダ／デコーダ３７では、入力された圧縮音声信号データについて伸張処理を施して、Ｄ／Ａコンバータ６５（表示／画像／音声入出力部６内）に供給する。
【００５８】
表示／画像／音声入出力部６においては、ビデオＤ／Ａコンバータ６１に入力された画像信号データは、ここでアナログ画像信号に変換され、表示コントローラ６２及びコンポジット信号処理回路６３に対して分岐して入力される。
表示コントローラ６２では、入力された画像信号に基づいて表示部６Ａを駆動する。これにより、表示部６Ａにおいて再生画像の表示が行われる。また、表示部６Ａにおいては、ディスク５１から再生して得られる画像の表示だけでなく、当然のこととして、レンズブロック１及びカメラブロック２からなるカメラ部位により撮影して得られた撮像画像も、ほぼリアルタイムで表示出力させることが可能である。
また、再生画像及び撮像画像の他、前述のように、機器の動作に応じて所要のメッセージをユーザに知らせるための文字やキャラクタ等によるメッセージ表示も行われるものとされる。このようなメッセージ表示は、例えばビデオコントローラ３８の制御によって、所要の文字やキャラクタ等が所定の位置に表示されるように、データ処理／システムコントロール回路３１からビデオＤ／Ａコンバータ６１に出力すべき画像信号データに対して、所要の文字やキャラクタ等の画像信号データを合成する処理を実行するようにすればよい。
【００５９】
また、表示部６Ａに対しては、タッチパネル６Ｂが組み合わされることで、表示パネル６７を構成する。
タッチパネル６Ｂでは、表示部６Ａ上に対して行われた押圧操作の位置情報を検知し、これを操作情報としてビデオコントローラ３８に対して出力する。
【００６０】
コンポジット信号処理回路６３では、ビデオＤ／Ａコンバータ６１から供給されたアナログ画像信号についてコンポジット信号に変換して、ビデオ出力端子Ｔ１に出力する。例えば、ビデオ出力端子Ｔ１を介して、外部モニタ装置等と接続を行えば、当該ビデオカメラで再生した画像を外部モニタ装置により表示させることが可能となる。
【００６１】
また、表示／画像／音声入出力部６において、音声圧縮エンコーダ／デコーダ３７からＤ／Ａコンバータ６５に入力された音声信号データは、ここでアナログ音声信号に変換され、ヘッドフォン／ライン端子Ｔ２に対して出力される。また、Ｄ／Ａコンバータ６５から出力されたアナログ音声信号は、アンプ６６を介してスピーカ２０５に対しても分岐して出力され、これにより、スピーカ２０５からは、再生音声等が出力されることになる。
【００６２】
メディアドライブ部４では、主として、記録時にはＭＤ−ＤＡＴＡ２フォーマットに従って記録データをディスク記録に適合するようにエンコードしてデッキ部５に伝送し、再生時においては、デッキ部５においてディスク５１から読み出されたデータについてデコード処理を施すことで再生データを得て、ビデオ信号処理部３に対して伝送する。
【００６３】
このメディアドライブ部４のＭＤ−ＤＡＴＡ２エンコーダ／デコーダ４１は、記録時においては、データ処理／システムコントロール回路３１から記録データ（圧縮画像データ＋圧縮音声信号データ）が入力され、この記録データについて、ＭＤ−ＤＡＴＡ２フォーマットに従った所定のエンコード処理を施し、このエンコードされたデータを一時バッファメモリ４２に蓄積する。そして、所要のタイミングで読み出しを行いながらデッキ部５に伝送する。
【００６４】
再生時においては、ディスク５１から読み出され、ＲＦ信号処理回路４４、二値化回路４３を介して入力されたデジタル再生信号について、ＭＤ−ＤＡＴＡ２フォーマットに従ったデコード処理を施して、再生データとしてビデオ信号処理部３のデータ処理／システムコントロール回路３１に対して伝送する。
なお、この際においても、必要があれば再生データを一旦バッファメモリ４２に蓄積し、ここから所要のタイミングで読み出したデータをデータ処理／システムコントロール回路３１に伝送出力するようにされる。このような、バッファメモリ４２に対する書き込み／読み出し制御はドライバコントローラ４６が実行するものとされる。
なお、例えばディスク５１の再生時において、外乱等によってサーボ等が外れて、ディスクからの信号の読み出しが不可となったような場合でも、バッファメモリ４２に対して読み出しデータが蓄積されている期間内にディスクに対する再生動作を復帰させるようにすれば、再生データとしての時系列的連続性を維持することが可能となる。
【００６５】
ＲＦ信号処理回路４４には、ディスク５１からの読み出し信号について所要の処理を施すことで、例えば、再生データとしてのＲＦ信号、デッキ部５に対するサーボ制御のためのフォーカスエラー信号、トラッキングエラー信号等のサーボ制御信号を生成する。ＲＦ信号は、上記のように二値化回路４３により２値化され、デジタル信号データとしてＭＤ−ＤＡＴＡ２エンコーダ／デコーダ４１に入力される。
また、生成された各種サーボ制御信号はサーボ回路４５に供給される。サーボ回路４５では、入力したサーボ制御信号に基づいて、デッキ部５における所要のサーボ制御を実行する。
【００６６】
なお、本例においては、ＭＤ−ＤＡＴＡ１フォーマットに対応するエンコーダ／デコーダ４７を備えており、ビデオ信号処理部３から供給された記録データを、ＭＤ−ＤＡＴＡ１フォーマットに従ってエンコードしてディスク５１に記録すること、或いは、ディスク５１からの読み出しデータがＭＤ−ＤＡＴＡ１フォーマットに従ってエンコードされているものについては、そのデコード処理を行って、ビデオ信号処理部３に伝送出力することも可能とされている。つまり本例のビデオカメラとしては、ＭＤ−ＤＡＴＡ２フォーマットとＭＤ−ＤＡＴＡ１フォーマットとについて互換性が得られるように構成されている。
ドライバコントローラ４６は、メディアドライブ部４を総括的に制御するための機能回路部とされる。
【００６７】
デッキ部５は、ディスク５１を駆動するための機構からなる部位とされる。ここでは図示しないが、デッキ部５においては、装填されるべきディスク５１が着脱可能とされ、ユーザの作業によって交換が可能なようにされた機構（ディスクスロット２０３（図６参照））を有しているものとされる。また、ここでのディスク５１は、ＭＤ−ＤＡＴＡ２フォーマット、あるいはＭＤ−ＤＡＴＡ１フォーマットに対応する光磁気ディスクであることが前提となる。
【００６８】
デッキ部５においては、装填されたディスク５１をＣＬＶにより回転駆動するスピンドルモータ５２によって、ＣＬＶにより回転駆動される。このディスク５１に対しては記録／再生時に光学ヘッド５３によってレーザ光が照射される。
光学ヘッド５３は、記録時には記録トラックをキュリー温度まで加熱するための高レベルのレーザ出力を行ない、また再生時には磁気カー効果により反射光からデータを検出するための比較的低レベルのレーザ出力を行なう。このため、光学ヘッド５３には、ここでは詳しい図示は省略するがレーザ出力手段としてのレーザダイオード、偏光ビームスプリッタや対物レンズ等からなる光学系、及び反射光を検出するためのディテクタが搭載されている。光学ヘッド５３に備えられる対物レンズとしては、例えば２軸機構によってディスク半径方向及びディスクに接離する方向に変位可能に保持されている。
【００６９】
また、ディスク５１を挟んで光学ヘッド５３と対向する位置には磁気ヘッド５４が配置されている。磁気ヘッド５４は記録データによって変調された磁界をディスク５１に印加する動作を行なう。
また、図示しないが、デッキ部５においては、スレッドモータ５５により駆動されるスレッド機構が備えられている。このスレッド機構が駆動されることにより、上記光学ヘッド５３全体及び磁気ヘッド５４はディスク半径方向に移動可能とされている。
【００７０】
操作部７は図６に示した各種操作子に相当し、これらの操作子によるユーザの各種操作情報は例えばビデオコントローラ３８に出力される。
ビデオコントローラ３８は、先に述べたタッチパネル６Ｂ、及び上記操作部７から出力される操作情報に応じた必要な動作が各部において実行されるようにするための制御情報をカメラコントローラ２５、ドライバコントローラ４６に対して供給する。
【００７１】
外部インターフェイス８は、当該ビデオカメラと外部機器とでデータを相互伝送可能とするために設けられており、例えば図のようにＩ／Ｆ端子Ｔ３とビデオ信号処理部間に対して設けられる。
【００７２】
本実施の形態の場合、この外部インターフェイス８としては、ＬＡＮ(Local area Network)に広く利用されるＥｔｈｅｒｎｅｔが採用されるものとする。周知のように、Ｅｔｈｅｒｎｅｔは、伝送路が１本とされて構造も簡単で安価であり、ＬＡＮ等を構築するのに適している。また、外部インターフェイス８がＥｔｈｅｒｎｅｔに対応する場合、通信プロトコルとしては、ＩＰ(Internet Protocol)が採用されるものとする。そして、Ｉ／Ｆ端子Ｔ３はＥｔｈｅｒｎｅｔに対応するケーブルのコネクタに対応した端子形状を有して備えられる。
【００７３】
例えば本実施の形態のビデオカメラをＩ／Ｆ端子Ｔ３を介して、Ｅｔｈｅｒｎｅｔの伝送路と接続すれば、その伝送路に接続されたパーソナルコンピュータ装置や、他のデジタル画像機器と通信を行い、画像／音声データ等の送受信を行うことが可能になる。また、構成によっては、Ｅｔｈｅｒｎｅｔを介して接続された機器から本実施の形態のビデオカメラをリモート制御することも可能となる。
【００７４】
また、ここでの詳しい説明は省略するが、パーソナルコンピュータ装置に対して、Ｅｔｈｅｒｎｅｔの伝送路を介して、例えばサムネイル表示のためのサムネイル画像データを送信出力する場合、本実施の形態では、ＨＴＭＬ形式のＷｅｂファイルとして作成されたサムネイル表示画像を出力することができるようになっている。このために、例えばプログラムメモリ３９には、このＨＴＭＬ形式によるＷｅｂファイルとしてのデータを生成するためのセット（プログラム）も格納されているものである。
【００７５】
なお、本実施の形態のビデオカメラとしては、外部とデータの授受を行うためのインターフェイスは、上記Ｅｔｈｅｒｎｅｔの他にも、例えばＩＥＥＥ１３９４インターフェイスなど、適宜必要に応じて追加されて構わない。つまり、この図に示す外部インターフェイス８としては、実際に設けられるインターフェイス機能の数に応じて、それぞれ異なる規格のインターフェイス部が複数系統設けられてもよいものである。
【００７６】
電源ブロック９は、内蔵のバッテリにより得られる直流電源あるいは商用交流電源から生成した直流電源を利用して、各機能回路部に対して所要のレベルの電源電圧を供給する。電源ブロック９による電源オン／オフは、上述したメインダイヤル３００の操作に応じてビデオコントローラ３８が制御する。
また記録動作中はビデオコントローラ３８はインジケータ２０６の発光動作を実行させる。
【００７７】
４．メディアドライブ部の構成
続いて、図４に示したメディアドライブ部４の構成として、ＭＤ−ＤＡＴＡ２に対応する機能回路部を抽出した詳細な構成について、図５のブロック図を参照して説明する。なお、図５においては、メディアドライブ部４と共にデッキ部５を示しているが、デッキ部５の内部構成については図４により説明したため、ここでは、図４と同一符号を付して説明を省略する。また、図５に示すメディアドライブ部４において図４のブロックに相当する範囲に同一符号を付している。
【００７８】
光学ヘッド５３のディスク５１に対するデータ読み出し動作によりに検出された情報（フォトディテクタによりレーザ反射光を検出して得られる光電流）は、ＲＦ信号処理回路４４内のＲＦアンプ１０１に供給される。
ＲＦアンプ１０１では入力された検出情報から、再生信号としての再生ＲＦ信号を生成し、二値化回路４３に供給する。二値化回路４３は、入力された再生ＲＦ信号について二値化を行うことにより、デジタル信号化された再生ＲＦ信号（二値化ＲＦ信号）を得る。
この二値化ＲＦ信号はＭＤ−ＤＡＴＡ２エンコーダ／デコーダ４１に供給され、まずＡＧＣ／クランプ回路１０３を介してゲイン調整、クランプ処理等が行われた後、イコライザ／ＰＬＬ回路１０４に入力される。
イコライザ／ＰＬＬ回路１０４では、入力された二値化ＲＦ信号についてイコライジング処理を施してビタビデコーダ１０５に出力する。また、イコライジング処理後の二値化ＲＦ信号をＰＬＬ回路に入力することにより、二値化ＲＦ信号（ＲＬＬ（１，７）符号列）に同期したクロックＣＬＫを抽出する。
【００７９】
クロックＣＬＫの周波数は現在のディスク回転速度に対応する。このため、ＣＬＶプロセッサ１１１では、イコライザ／ＰＬＬ回路１０４からクロックＣＬＫを入力し、所定のＣＬＶ速度（図３参照）に対応する基準値と比較することにより誤差情報を得て、この誤差情報をスピンドルエラー信号ＳＰＥを生成するための信号成分として利用する。また、クロックＣＬＫは、例えばＲＬＬ（１，７）復調回路１０６をはじめとする、所要の信号処理回路系における処理のためのクロックとして利用される。
【００８０】
ビタビデコーダ１０５は、イコライザ／ＰＬＬ回路１０４から入力された二値化ＲＦ信号について、いわゆるビタビ復号法に従った復号処理を行う。これにより、ＲＬＬ（１，７）符号列としての再生データが得られることになる。
この再生データはＲＬＬ（１，７）復調回路１０６に入力され、ここでＲＬＬ（１，７）復調が施されたデータストリームとされる。
【００８１】
ＲＬＬ（１，７）復調回路１０６における復調処理により得られたデータストリームは、データバス１１４を介してバッファメモリ４２に対して書き込みが行われ、バッファメモリ４２上で展開される。
このようにしてバッファメモリ４２上に展開されたデータストリームに対しては、先ず、ＥＣＣ処理回路１１６により、ＲＳ−ＰＣ方式に従って誤り訂正ブロック単位によるエラー訂正処理が施され、更に、デスクランブル／ＥＤＣデコード回路１１７により、デスクランブル処理と、ＥＤＣデコード処理（エラー検出処理）が施される。
これまでの処理が施されたデータが再生データＤＡＴＡｐとされる。この再生データＤＡＴＡｐは、転送クロック発生回路１２１にて発生された転送クロックに従った転送レートで、例えばデスクランブル／ＥＤＣデコード回路１１７からビデオ信号処理部３のデータ処理／システムコントロール回路３１に対して伝送されることになる。
【００８２】
転送クロック発生回路１２１は、例えば、クリスタル系のクロックをメディアドライブ部４とビデオ信号処理部３間のデータ伝送や、メディアドライブ部４内における機能回路部間でのデータ伝送を行う際に、適宜適正とされる周波数の転送クロック（データ転送レート）を発生するための部位とされる。
また、当該ビデオカメラの動作状態に応じて、メディアドライブ部４及びビデオ信号処理部３の各機能回路部に供給すべき所要の周波数のクロックを発生する。
【００８３】
光学ヘッド５３によりディスク５１から読み出された検出情報（光電流）は、マトリクスアンプ１０７に対しても供給される。
マトリクスアンプ１０７では、入力された検出情報について所要の演算処理を施すことにより、トラッキングエラー信号ＴＥ、フォーカスエラー信号ＦＥ、グルーブ情報（ディスク５１にウォブルドグルーブＷＧとして記録されている絶対アドレス情報）ＧＦＭ等を抽出しサーボ回路４５に供給する。即ち抽出されたトラッキングエラー信号ＴＥ、フォーカスエラー信号ＦＥはサーボプロセッサ１１２に供給され、グルーブ情報ＧＦＭはＡＤＩＰバンドパスフィルタ１０８に供給される。
【００８４】
ＡＤＩＰバンドパスフィルタ１０８により帯域制限されたグルーブ情報ＧＦＭは、Ａ／Ｂトラック検出回路１０９、ＡＤＩＰデコーダ１１０、及びＣＬＶプロセッサ１１１に対して供給される。
Ａ／Ｂトラック検出回路１０９では、例えば図２（ｂ）にて説明した方式などに基づいて、入力されたグルーブ情報ＧＦＭから、現在トレースしているトラックがトラックＴＲ・Ａ，ＴＲ・Ｂの何れとされているのかについて判別を行い、このトラック判別情報をドライバコントローラ４６に出力する。また、ＡＤＩＰデコーダ１１０では、入力されたグルーブ情報ＧＦＭをデコードしてディスク上の絶対アドレス情報であるＡＤＩＰ信号を抽出し、ドライバコントローラ４６に出力する。ドライバコントローラ４６では、上記トラック判別情報及びＡＤＩＰ信号に基づいて、所要の制御処理を実行する。
【００８５】
ＣＬＶプロセッサ１１１には、イコライザ／ＰＬＬ回路１０４からクロックＣＬＫと、ＡＤＩＰバンドパスフィルタ１０８を介したグルーブ情報ＧＦＭが入力される。ＣＬＶプロセッサ１１１では、例えばグルーブ情報ＧＦＭに対するクロックＣＬＫとの位相誤差を積分して得られる誤差信号に基づき、ＣＬＶサーボ制御のためのスピンドルエラー信号ＳＰＥを生成し、サーボプロセッサ１１２に対して出力する。なお、ＣＬＶプロセッサ１１１が実行すべき所要の動作はドライバコントローラ４６によって制御される。
【００８６】
サーボプロセッサ１１２は、上記のようにして入力されたトラッキングエラー信号ＴＥ、フォーカスエラー信号ＦＥ、スピンドルエラー信号ＳＰＥ、ドライバコントローラ４６からのトラックジャンプ指令、アクセス指令等に基づいて各種サーボ制御信号（トラッキング制御信号、フォーカス制御信号、スレッド制御信号、スピンドル制御信号等）を生成し、サーボドライバ１１３に対して出力する。
サーボドライバ１１３では、サーボプロセッサ１１２から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ５２を駆動するスピンドルモータ駆動信号となる。
このようなサーボドライブ信号がデッキ部５に対して供給されることで、ディスク５１に対するフォーカス制御、トラッキング制御、及びスピンドルモータ５２に対するＣＬＶ制御が行われることになる。
【００８７】
ディスク５１に対して記録動作が実行される際には、例えば、ビデオ信号処理部３のデータ処理／システムコントロール回路３１からスクランブル／ＥＤＣエンコード回路１１５に対して記録データＤＡＴＡｒが入力されることになる。このユーザ記録データＤＡＴＡｒは、例えば転送クロック発生回路１２１にて発生された転送クロック（データ転送レート）に同期して入力される。
【００８８】
スクランブル／ＥＤＣエンコード回路１１５では、例えば記録データＤＡＴＡｒをバッファメモリ４２に書き込んで展開し、データスクランブル処理、ＥＤＣエンコード処理（所定方式によるエラー検出符号の付加処理）を施す。この処理の後、例えばＥＣＣ処理回路１１６によって、バッファメモリ４２に展開させている記録データＤＡＴＡｒに対してＲＳ−ＰＣ方式によるエラー訂正符号を付加するようにされる。
ここまでの処理が施された記録データＤＡＴＡｒは、バッファメモリ４２から読み出されて、データバス１１４を介してＲＬＬ（１，７）変調回路１１８に供給される。
【００８９】
ＲＬＬ（１，７）変調回路１１８では、入力された記録データＤＡＴＡｒについてＲＬＬ（１，７）変調処理を施し、このＲＬＬ（１，７）符号列としての記録データを磁気ヘッド駆動回路１１９に出力する。
【００９０】
ところで、ＭＤ−ＤＡＴＡ２フォーマットでは、ディスクに対する記録方式として、いわゆるレーザストローブ磁界変調方式を採用している。レーザストローブ磁界変調方式とは、記録データにより変調した磁界をディスク記録面に印加すると共に、ディスクに照射すべきレーザ光を記録データに同期してパルス発光させる記録方式をいう。
このようなレーザストローブ磁界変調方式では、ディスクに記録されるピットエッジの形成過程が磁界の反転速度等の過渡特性に依存せず、レーザパルスの照射タイミングによって決定される。
このため、例えば単純磁界変調方式（レーザ光をディスクに対して定常的に照射すると共に記録データにより変調した磁界をディスク記録面に印加するようにした方式）と比較して、レーザストローブ磁界変調方式では、記録ピットのジッタをきわめて小さくすることが容易に可能とされる。つまり、レーザストローブ磁界変調方式は、高密度記録化に有利な記録方式とされるものである。
【００９１】
メディアドライブ部４の磁気ヘッド駆動回路１１９では、入力された記録データにより変調した磁界が磁気ヘッド５４からディスク５１に印加されるように動作する。また、ＲＬＬ（１，７）変調回路１１８からレーザドライバ１２０に対しては、記録データに同期したクロックを出力する。レーザドライバ１２０は、入力されたクロックに基づいて、磁気ヘッド５４により磁界として発生される記録データに同期させたレーザパルスがディスクに対して照射されるように、光学ヘッド５３のレーザダイオードを駆動する。この際、レーザダイオードから発光出力されるレーザパルスとしては、記録に適合する所要のレーザパワーに基づくものとなる。このようにして、本例のメディアドライブ部４により上記レーザストローブ磁界変調方式としての記録動作が可能とされる。
【００９２】
５．本実施の形態に対応するディスク構造例
次に、本実施の形態に対応するディスク５１のデータ構造例について説明する。
先ず前提として、ＭＤ−ＤＡＴＡ２のフォーマットにおけるセクタ、クラスタといわれるデータ単位について述べておく。
セクタは、ディスクからの物理的なデータ読み出しの最小単位であり、各セクタには、ＰＳＡ(Physical Sector Address)が割り当てられる。
また、クラスタは、ディスクへの物理的なデータ書き込みの最小単位とされ、ＰＳＡが０ｈ〜Ｆｈまでの連続する１６のセクタの集合により形成される。各クラスタには、ＰＣＡ(Physical Cluster Address)が割り当てられる。そして、後述するリードインエリア（プリマスタード・エリア）に在るセクターは、ＰＣＡによって一意に特定することができる。また、レコーダブルエリアにあるクラスタは同一のＰＣＡを有するクラスタがトラックＴｒ・Ａ，Ｔｒ・Ｂとで１つずつ存在することになる。
【００９３】
図９は、本実施の形態に対応するとされるディスク５１のデータ管理形態例を概念的に示している。なお、この図に示すディスク５１の物理フォーマットについては、先に図１及び図２により説明した通りである。
ディスク５１においては、例えば、管理情報としてＰＴＯＣ、及びＲＴＯＣが設定される。ＰＴＯＣは、ピット形態により所要の管理情報が記録される。このＰＴＯＣの内容は書き換えが不可とされている。
ＲＴＯＣは、例えばディスクに記録されたデータを管理するのに必要な基本的な情報が記録される。
例えば本例の場合であれば、ディスクに記録されたデータとして、トラック（ファイルと同義の場合有り）、及びフォルダ（トラックをグループ化して管理するための構造）を記録再生時において管理するための情報が格納される。
なお、ＲＴＯＣの内容は、例えば、これまでのディスクに対するデータの記録結果や、トラック（ファイル）、フォルダの削除等の編集処理結果に従って逐次書き換えが行われるものとされる。
【００９４】
ユーザデータは、１つのルートフォルダ内に置かれたボリュームフォルダ(Volume Folder)として管理される。本実施の形態においてボリューム(Volume)とは、ユーザデータの完全な集合として定義され、１枚のディスクにはただ１つのボリュームが存在するものとして規定される。そして、このボリューム内に含まれるデータは、上記ＰＴＯＣ、ＲＴＯＣで管理されるものを除いて、ボリュームフォルダ以下のフォルダ及びトラックとして格納されることになる。
【００９５】
ボリュームフォルダ内においては、所定サイズ（例えば１２クラスタ）のボリュームインデックストラック(ＶＩＴ：Volume Index Track)が置かれる。
このボリュームインデックストラックは、例えば上記ＰＴＯＣ、ＲＴＯＣが主的管理情報とすれば、いわば副管理情報が記録される領域として規定されるもので、トラック（ファイル）、フォルダ、及び補助データ(Auxiliary Data)に関すプロパティ、タイトル、及びトラックを形成するパケットデータを管理するための情報が記録されるテーブルを有する。
【００９６】
また、ボリュームフォルダ内で管理されるトラックとして、サムネイルトラック(Thumbnail Picture Track)がオプションとして配置可能とされている。
本実施の形態においては、ディスクに記録された各ファイルごとに対応付けして、所定解像度による１枚の静止画像をサムネイル画像として有することが可能とされている。サムネイル画像は、ファイルを視覚的に認識可能とするための代表画像として扱われる。
サムネイルトラックには、ディスクに記録されているファイル（トラック）との対応付けと、サムネイル画像の格納位置とが示されるインデックス情報と共に記録される。サムネイルトラックのデータ長は、格納されるサムネイル画像数等に応じて任意に拡張可能とされる。
【００９７】
そして、例えばユーザが撮影等によって記録した画像／音声データはファイル単位で管理され、ボリュームフォルダ内において、トラックとしてボリュームフォルダの下に置かれる、或いは、ボリュームフォルダ以下に置かれるフォルダ内に置かれることになる。
図９では、或る１ファイルが１トラックとして表現された上で、このトラックが或る１つのフォルダ内に格納されている状態が示されている。フォルダは、上述のように、トラック又はフォルダを１グループにまとめて管理するための構造である。
従ってボリュームフォルダ以下の構造においては、ボリュームフォルダ内に格納可能な最大件数と、フォルダの階層構造の最大段数により規定される範囲内で、任意の数のトラック又はフォルダが格納されることになる。
【００９８】
また、ボリュームフォルダ内には、補助データ(Auxiliary Data)が格納される補助データトラック(Auxiliary Data Track)が配置される。
補助データトラックに格納されるべき情報としては、例えば、実際に適用されるアプリケーションによって任意とされる。
本実施の形態においては、再生制御情報としてのスクリプトの情報が格納されることになる。また、ここでの詳しい説明は省略するが、トラック（録画ファイル）に対する「落書き編集」によって作成された画像データ（Image）も格納される。
【００９９】
ところで、上記した管理情報であるＰＴＯＣ，ＲＴＯＣ、また更にはボリュームインデックストラックに格納された情報（これらの情報を総称しても、本実施の形態では「管理情報」ということにする）は、例えば、ディスク装填時において読み出されて、例えば、メディアドライブ部４のバッファメモリ４２（又はバッファメモリ３２）の所定領域に保持される。そして、データ記録時や編集時においては、その記録結果や編集結果に応じてバッファメモリに保持されているこれら管理情報について書き換えを行うようにし、その後、所定の機会、タイミングでもって、バッファメモリに保持されている管理情報の内容に基づいて、ディスク５１の管理情報を書き換える（更新する）ようにされる（但し、ＰＴＯＣについては更新は行われない）。
【０１００】
図１０は、上記図９に示したデータ管理形態をディスク５１の物理構造に対応させて示しているものである。
この図に示すリードインエリアは、ディスク最内周におけるピットエリアであり、ここにＰＴＯＣの情報が記録される。
【０１０１】
そして、このリードインエリアの外周に対しては、トランジションエリアを介してレコーダブルエリアが形成される。このレコーダブルエリアは、光磁気記録再生が可能とされる光磁気記録領域とされる。このレコーダブルエリアは、先に図１，図２により説明したように、トラックＴｒ・ＡとトラックＴｒ・Ｂの２本のトラックがダブルスパイラル上に形成される。
【０１０２】
レコーダブルエリアの最内周にあっては、トラックＴｒ・Ａ，Ｔｒ・Ｂ共に、ＲＴＯＣエリアが設けられる。そして、トラックＴｒ・ＡのＲＴＯＣエリア内にあっては、４クラスタのサイズのＲＴＯＣの情報が３回繰り返して記録される。そしてこれに続けて、１２クラスタのサイズのボリュームインデックストラックが配置される。
そして、ボリュームインデックストラックに続けては、サムネイルトラックをオプションとして配置することができることになっている。このＲＴＯＣエリア内のサムネイルトラックとしては、少なくとも最初の１クラスタが位置するものと規定されている。そして、例えばファイル数の増加に応じてサムネイル画像データ数が多くなり、ＲＴＯＣエリア内のサムネイルトラックの容量を超えたときには、後述するレコーダブルデータエリアに対して追加的に記録していくことができる。また、このときのレコーダブルデータエリア上のサムネイルトラックは、ボリュームインデックストラック（又はＲＴＯＣ）によって管理される。
【０１０３】
また、このＲＴＯＣエリアのサムネイルトラックに続けて、補助データであるスクリプトとイメージデータを記録する領域をオプションとして設定することができる。
また、これらスクリプトとイメージデータについても、ＲＴＯＣエリア内にて記録可能な容量を超えたときには、ボリュームインデックストラック（又はＲＴＯＣ）により管理される形態で、レコーダブルデータエリアに対して追加的に記録していくことができる。
【０１０４】
そして、レコーダブルデータエリアスタートアドレスＷより示されるアドレス位置からは、レコーダブルデータエリアが設けられる。このレコーダブルデータエリアに対して、ＡＶデータ、即ちトラック（ファイル）のデータが記録される。また、前述したサムネイル画像データ及び補助データも記録可能とされる。
【０１０５】
このレコーダブルデータエリアが終了すると、リードアウトエリアスタートアドレスＬにより示されるアドレス位置から最外周にかけてリードアウトエリアが形成される。
【０１０６】
上記説明は、トラックＴｒ・Ａに関するものであるが、トラックＴｒ・Ｂについても、図１０から分かるように、領域設定はトラックＴｒ・Ａに準ずる。但し、ＲＴＯＣエリアについては現段階では未定義とされている。つまり、ＲＴＯＣエリアは、トラックＴｒ・Ａについてのみ実質的に使用されるようにしている。
【０１０７】
なお、これら図９及び図１０に示すディスク構造例はあくまでも一例であって、ディスク上での各エリアの物理的位置関係は、実際の使用条件等に応じて変更されて構わないし、データが格納される構造も変更されて構わないものである。
【０１０８】
６．サムネイル画像生成処理
上記図９及び図１０に示したサムネイルトラックに格納されるサムネイル画像は、本実施の形態のビデオカメラにより生成することが可能とされるが、ここで、サムネイル画像の生成処理について説明しておく。なお、ここでは既にディスクに記録された画像ファイルについてのサムネイル画像を生成する場合について説明する。
【０１０９】
前述のように、例えばディスク５１に記録されている管理情報（ＰＴＯＣ、ＲＴＯＣ、ボリュームインデックストラック）は、ディスク装填時などの所定のタイミングで読み出されて、バッファメモリ４２（或いはバッファメモリ３２）に対して格納されているものとされる。
【０１１０】
そして、ドライバコントローラ４６は、例えばバッファメモリ４２に格納されている管理情報を参照して、これよりサムネイル画像を生成すべきファイルについて、サムネイル画像として指定されている画像データが記録されているディスク上のアドレスを求め、このアドレスにアクセスしてディスクに対する読み出し動作を実行させることで、サムネイル画像の生成元としての画像データを得るようにされる。
この画像データは、順次メディアドライブ部４からビデオ信号処理部３に伝送され、データ処理／システムコントロール回路３１に供給される。
なお、管理情報によりサムネイル画像の生成元として規定される画像データは、特段の指定が無ければ、例えばファイル中における先頭のフレーム（又はフィールド）画像データが指定されているものとされる
【０１１１】
そして、データ処理／システムコントロール回路３１では、供給された画面データについて、先ず、ＭＰＥＧ２ビデオ信号処理回路３３を制御してＭＰＥＧ２フォーマットに従った伸張処理を施し、フィールド画像単位の画像データのレベルにまでデコードしたデータを獲得するようにされる。
【０１１２】
例えば、上記フィールド画像単位のレベルにまでデコードされた画像データの段階では、通常は、表示画面に対してほぼフルサイズで表示されるだけの画像サイズ（画素数）を有したデータとされる。
そこで、上記フィールド画像単位によるフルサイズの画像データが得られた後は、このフルサイズの画像データについて縮小処理を行って、実際に必要とされるサムネイル画像のサイズが得られるように処理を行うことになる。
このような画像サイズの縮小のためには、例えば元のフルサイズの画像データに対して、適切なタイミングで画素データに対するサンプリングを行い、このサンプリングした画素データによって画像データを再構成するように信号処理を実行すればよい。
【０１１３】
そして、例えばビデオコントローラ３８は、このようにして得られたサムネイル画像データについてのインデックス情報（図９により説明）を生成し、このインデックス情報と共にこのサムネイル画像データをディスクのサムネイルトラックに記録するように制御を実行する。
このようにして、ファイルごとに対応したサムネイル画像データが得られ、ディスクに記録される。
【０１１４】
なお、本実施の形態としては、これまでの説明から分かるように、画像データ（音声データを含む）の他、音声のみによる音声データ、更には文字情報データなどもファイルとして記録可能とされるが、例えば、音声データ、文字情報データ等、そのファイル内にサムネイル画像の生成元となる画像データが無いような場合には、例えば、予め音声データや文字情報データであることを視覚的に認識できるような絵柄の画像データを用意しておき（例えばビデオコントローラ３８のＲＯＭ内に格納しておいたり、ディスクの所定領域に格納するなどしておけばよい）、この画像データをサムネイル画像として利用するようにすればよいものである。
【０１１５】
７．スクリプト
また、本実施の形態においては、当該ビデオカメラにより記録したファイル（主として録画ファイル）についての、再生順指定や再生時に所要の特殊効果を与えるなどの編集処理を行うことができる。
上記のような編集を行うのにあたり、本実施の形態では、録画ファイルについて所要の再生出力態様を与えることのできる再生制御情報としてのスクリプトを用意し、ビデオカメラにおいては、例えばビデオコントローラ３８がこのスクリプトを解釈することで、編集結果に応じた再生出力態様（例えば再生順）を得るようにするものである。また、編集段階においては、スクリプトの内容の更新を行うことで編集処理を実行するように構成されるものである。なお、ここでいう「スクリプト」とは、動画像データ、静止画像データ、音声データ、更には文書データ等を同時タイミングで再生出力するために、所定のプログラム言語により記述された手続き書き構造をいうものとされる。
【０１１６】
そこで先ず、本実施の形態において再生制御情報として利用されるスクリプトについて概略的に説明する。
【０１１７】
本実施の形態としては、スクリプトとしてＳＭＩＬ(Synchronized Multimedia
Integration Language)を採用するものとする。
ＳＭＩＬとは、例えばインターネット上でのテレビ番組放送、プレゼンテーション等を実現するために、Ｗ３Ｃ（インターネットの標準化団体）で標準化が行われている言語であり、ＸＭＬ（ＨＴＭＬのスーパーセット）の文法に基づき、時系列的なプレゼンテーション等を実現しようとするものである。
【０１１８】
先ず、スケジューリングは＜ｓｅｑ＞，＜ｐａｒ＞の２つのタグにより表現される。
＜ｓｅｑ＞は、ｓｅｑｅｎｔｉａｌ、つまり直列を意味し、このタグで囲まれた情報は時間順に再生されることになる。
＜ｐａｒ＞は、ｐａｒａｌｌｅｌ、つまり並列を意味し、このタグで囲まれた情報は同期して再生されることになる。
【０１１９】
ここで、例えばディスクに記録されているとされるファイルにおいて、ｖｉｄｅｏ１，ｖｉｄｅｏ２，ｖｉｄｅｏ３として表される画像データのファイルについて、ｖｉｄｅｏ１→ｖｉｄｅｏ２→ｖｉｄｅｏ３の順に再生するように指定した場合には、
0004269465.tif 000002
のようにして記述が行われる。
【０１２０】
また、ファイルｖｉｄｅｏ１→ｖｉｄｅｏ２→ｖｉｄｅｏ３の順に再生すると共に、ｖｉｄｅｏ１に対しては、音声データのファイルであるａｕｄｉｏ１をアフレコトラックとして同時再生させたいときには、
0004269465.tif 000003
のようにして記述が行われることになる。
【０１２１】
また、或るファイルと同期再生させるべきファイルについて、この或るファイルが再生されて何秒後の位置から再生させる等の指定を行うための記述も用意されている。
例えば、ｖｉｄｅｏ１の画像ファイルが表示（再生）されてから５秒後にキャプション（例えば文字情報としての画像）を表示させるような場合には、
0004269465.tif 000004
のようにして記述が行われることになる。
【０１２２】
また、例えば静止画ファイルとしてのファイルｐｉｃｔｕｒｅ１を５秒間表示するように指示するのであれば、
＜ｉｍａｇｅ  ｓｒｃ＝”ｐｉｃｔｕｒｅ１”  ｄｕｒ  ＝  ”５ｓ”＞
のようにして記述される。
【０１２３】
また、いわゆるフレームミュートといわれ、或る動画ファイルの一部を抜き出すようにして再生する場合には、「ｒａｎｇｅ」を利用する。例えば、タイムコードとしてＳＭＰＴＥ(Society of Motion Picture and Television)の規格を採用しているとして、
＜ｖｉｄｅｏ  ｓｒｃ＝”ｖｉｄｅｏ１”ｒａｎｇｅ＝”ｓｍｐｔｅ：１０：０７：００−１０：０７：３３”＞
のようにして記述することができる。
【０１２４】
また、或るファイルを指定してリピートを行うのには、「ｒｅｐｅａｔ」を利用する。例えばｖｉｄｅｏ１のファイルを１０回リピートするのであれば、
＜ｖｉｄｅｏ  ｓｒｃ  ＝  ”ｖｉｄｅｏ１”ｒｅｐｅａｔ  ＝  ”１０”＞
のようにして記述する。
【０１２５】
そして本実施の形態においては、このような、ＳＭＩＬといわれるスクリプトを利用し、サムネイル表示として所要の表示形態を与えるための表示制御を実行可能に構成されるものである。
このため、例えば本実施の形態のビデオカメラシステムにおいては、このＳＭＩＬに対応した解釈、及びスクリプトの記述（生成）が行えるように、ＸＭＬのサブセットが用意されることになる。これは、例えばビデオコントローラ３８が実行すべきプログラムとして、プログラムメモリ３９等に予め格納したり、或いはディスクのアプリケーションレイヤーに対して記録して、読み出しが行えるようにしておけばよい。
【０１２６】
本実施の形態においては、このようなスクリプトは、例えば、編集段階（又は録画操作を行っている段階）において、ビデオコントローラ３８が生成又は更新を行って、例えばバッファメモリ３２内の所定領域に保持しておくものとされる。
そして、このようにしてバッファメモリ３２に保持されたスクリプトを、所定の機会、又はタイミングでもってディスクに記録するようにされる。このスクリプトのデータは、図９及び図１０にて説明した補助データトラック(Auxiliary Data Track)に対して、スクリプトファイルとして格納されることになる。このようにしてディスクにスクリプトが記録されることで、次にこのディスクを新たに装填したときには、このディスクに記録されたスクリプトを読み出し、例えば、バッファメモリ３２に対して保持させてこれを参照することで、以前の編集により得られた再生順等に従って編集再生等を行うことが可能となるものである。
【０１２７】
８．操作画面表示
本実施の形態のビデオカメラでは、ディスクに記録されたファイルの検索、また各種編集、設定処理を行うのにあたり、表示パネル６７に対して、操作画面の表示を行う。
この操作画面としては、現在装填されているディスク、及びこのディスクに記録されたファイル等についての各種情報を提示するようにしている。そして、この操作画面に対する押圧操作（以降はポインティング操作という）と、各種操作子に対する操作の併用によって、或る目的に従った各種操作が実現されるようにしている。
ここで、本実施の形態の操作画面としては、現在装填されているディスクに記録されたファイルごとに対応するサムネイル画像（小画像）を提示する、いわゆるサムネイル表示を行うようにもされている。つまり、ユーザは、この操作画面に表示されるサムネイル画像を見ることで、ディスクに記録されたファイル（トラック）の内容を視覚的に確認できる。また、このサムネイル画像に対する操作によって、ファイルの検索や再生等を行うことができる。
【０１２８】
図１１は、本実施の形態のビデオカメラの表示パネル６７に表示される操作画面の表示形態例を示している。
この操作画面は、例えばディスクが装填された状態で再生／編集モードとされると初期画面として表示されるようになっている。
【０１２９】
この図にあっては、先ず、表示領域の上段において、情報表示エリアＡ１が設けられる。この情報表示エリアＡ１においては、ユーザにとって必要とされる各種情報が提示されるもので、ここでは、バッテリ残量表示エリアＡ１−１、スポーツモード表示エリアＡ１−２、再生モード表示エリアＡ１−３、記録残り時間表示エリアＡ１−４、ディスクアイコンＡ１−５が配置される。
【０１３０】
バッテリ残量表示エリアＡ１−１では、バッテリ残量をバッテリのシンボルと時間によって示すようにしている。
また、ここでは詳しい説明は省略するが、本実施の形態のビデオカメラでは、再生モードとして、例えばコマ送り再生などが行われてユーザが撮影した被写体等の運動の動きを確認可能なスポーツモードを設定可能とされている。そして、スポーツモード表示エリアＡ１−２では、スポーツモードが設定されていると、例えば図のように「ＳＰＯＲＴ」という文字によって現在スポーツモードが設定されていることを通知する。
再生モード表示エリアＡ１−３では、例えばシャッフル再生、リピート再生、Ａ−Ｂ間再生など、各種特殊再生モードを文字、シンボル等によって提示する。記録残り時間表示エリアＡ１−４は、ディスクの記録可能な残り容量を時間によって示している。
ディスクアイコンＡ１−５は、例えばディスクが装填されていると表示され、このディスクアイコンＡ１−５に対してポインティング操作を行うと、この図に示す操作画面から、現在装填されているディスクに関する各種情報が表示される、ディスク情報画面の表示に切り換えることが可能となっている。
【０１３１】
この情報表示エリアＡ１の下側には、サムネイル表示エリアＡ２が設けられる。ここでは、最大９枚（９ファイル分）のサムネイル画像を表示可能とされており、ここでは、Ａ〜Ｉのサムネイル画像ＳＮが表示されている状態が示されている。ここでは示していないが、例えば実際には、各サムネイル画像ＳＮとしては、例えばそのファイルが録画ファイルであれば、その録画ファイルにおいて抜き出された画像が静止画像として表示されている。
【０１３２】
また、ここでＡ〜Ｉのアルファベット順による各サムネイル画像ＳＮの配列順は、基本的には再生順に従っている。つまり、本実施の形態においては、スクリプトにより指定されるファイル再生順に従った所定の配列順によってサムネイル画像を表示可能とされている。但し、ソートなどの操作が行われれば、そのソート順に従ってサムネイルが表示される。
【０１３３】
この場合、一度に表示可能なサムネイル画像数は９つとされているが、例えばディスクに記録されているトラック（ファイル）数が９よりも多く、従ってサムネイル画像数も９より多い場合には、サムネイル表示エリアＡ２の右横に表示されるスクロールバーＡ４に対して、ポインティングを行って例えばドラッグ操作を行うことで、サムネイル表示エリアＡ２に表示されているサムネイル画像をスクロールさせながら表示させることができるようになっている。
【０１３４】
また、サムネイル表示エリアＡ２に表示されている各サムネイル画像ＳＮ上においては、各種アイコンが重畳表示されている。
これらアイコンとして、先ず動画アイコンｉ１は、このアイコンが重畳表示されているサムネイル画像が対応するファイルが動画を記録したファイルであることを示している。図１１の場合であれば、サムネイル画像（Ａ，Ｂ，Ｃ，Ｄ，Ｅ）が動画ファイルであることが認識される。
【０１３５】
また、サムネイル画像（Ｇ）に表示されているアイコンは、静止画アイコンｉ２であり、このアイコンによって、そのファイルが静止画ファイルであることが示される。
サムネイル画像（Ｈ）に表示されているのはインタビューファイルアイコンｉ３であり、前述したインタビューモードによって記録されたインタビューファイルであることが示される。
【０１３６】
インタビューモードについては前述したが、ここで確認のために述べておくと、音声主体で記録を行うと共に、任意のタイミングでそのとき撮影されている画像を静止画として記録していくモードである。従って、インタビューファイルとしては、音声データに対して静止画データが付随したファイルとなる。また、インタビューファイルでは、記録時のタイミングに従って、音声データの再生進行時間に対する静止画データの出力タイミングが規定されているものである。そして、例えばインタビューファイルとしての上記サムネイル画像（Ｈ）の実際としては、音声データに付随して記録された静止画データのうちの１つが選択されて、縮小画像として表示されているものである。
【０１３７】
ところで、インタビューモードにより記録を行った際に、静止画記録を行わなかった場合には、インタビューファイルとしては、静止画データは付随しないことになる。つまり、音声データのみのファイルとなるものである。
そして、例えば上記サムネイル画像（Ｈ）が、このような音声データのみのインタビューファイルに対応するものである場合には、その図示は省略するが静止画の縮小画像を表示する代わりに、所定サイズに大型化されたインタビューファイルアイコンｉ３が表示されるようになっている。
【０１３８】
また、サムネイル画像（Ｉ）に表示されているのはグループアイコンｉ４である。本実施の形態のビデオカメラでは、サムネイル表示上での管理として、再生順的に連続する複数のファイルを１纏めにしてグループ化し、このようにしてグループ化した複数ファイルを１つのサムネイル画像として表示することができる。グループアイコンｉ４は、このようにしてグループ化に対応したサムネイル画像に対して重畳表示される。
【０１３９】
また、サムネイル画像（Ｆ）に表示されているアイコンは、メモファイルアイコンｉ５である。本実施の形態のビデオカメラでは、編集機能として、ユーザがメモ書きをした内容を１つの独立したファイルとして作成可能とされている。このようなメモファイルを例えば任意のファイルの前に挿入して再生させれば、そのファイルのタイトル的な内容がメモファイルによって表示されるようにすることができる。メモファイルアイコンｉ５は、そのファイルがメモファイルであることを示す。
【０１４０】
また、例えばサムネイル画像（Ｃ，Ｅ）に表示されている鉛筆を模したアイコンは、落書きアイコンｉ６である。本実施の形態のビデオカメラの編集機能として、既に記録した画像ファイルに対して、ユーザがペン３２０等によって行ったパネル表示部６７への操作軌跡や、スタンプ画像などの貼り付け操作等によって、落書き的な画像を追加させることが可能とされている。
落書きアイコンｉ６は、この落書き機能によって落書きされたファイルであることを示す。
【０１４１】
また、サムネイル画像（Ｂ，Ｅ）にはマークアイコンｉ７が表示されている。ユーザは、後述するような操作によって、任意のファイルに対してマークを付すことができる。例えばユーザは、自分にとって重要度の高いファイルについてその覚えとしてマークを行うようにされる。そしてマークアイコンｉ７は、このマークが付されていることを示す。
【０１４２】
サムネイル画像（Ａ，Ｅ）にはロックアイコンｉ８が表示されている。ユーザは、これも後述する操作によって、任意のファイルについて削除、及び編集等の変更等を行わせないように「ロック」を設定することができる。ロックアイコンｉ８は、そのファイルがロックされていることを示す。
また、サムネイル画像（Ａ，Ｅ）の下側には、エフェクトアイコンｉ９が表示されている。本実施の形態では、例えば各種シーンチェンジや、モザイクなどの特殊再生効果をファイルに与えることが可能とされているが、エフェクトアイコンｉ９はこのような特殊効果が与えられたファイルであることを示している。
【０１４３】
本実施の形態では、このようにして、各種アイコンをサムネイル画像上に重畳表示することで、そのサムネイル画像が対応するファイルの種別、各種設定状況等の諸属性を、ユーザに対して視覚的に認識させることが可能となっている。
【０１４４】
また、サムネイル画像（Ｅ）の画像を枠取るようにして表示されるポインタアイコンｉ１０は、例えばユーザがペン３２０などによって、サムネイル画像上をポインティング操作することで、そのポインティング操作されたサムネイル画像に対して移動して表示されるものである。そして、このポインタアイコンｉ１０が配置表示されているサムネイル画像が、現在選択されていることになる。
【０１４５】
また、本実施の形態の操作画面の実際としては、ポインタアイコンｉ１０が配置されていないサムネイル画像についてはアイコンは重畳表示されず、ポインタアイコンｉ１０が配置されて選択が行われたときに、このサムネイル画像に対してアイコンの重畳表示が行われるようになっているものである。
【０１４６】
そして、例えばユーザが所望のサムネイル画像に対してポインタアイコンｉ１０を配置させた状態で再生／ポーズキー３０８を操作したとすると、このポインタアイコンｉ１０が配置されて選択されているファイルから再生が開始されるようになっている。或いは、ポインタアイコンｉ１０が配置表示されているサムネイル画像に対して、再度ポインティング操作を行うと、このポインタアイコンｉ１０が配置されているトラックから再生が開始されるようになっている。
【０１４７】
サムネイル表示エリアＡ２の左側には、各種メニューキーが表示されるメニューキーエリアＡ３が設けられる。
このメニューキーエリアＡ３においては、上から順に、再生メニューキーＡ３−１、編集メニューキーＡ３−２、落書き・効果メニューキーＡ３−３、スタジオメニューキーＡ３−４、設定メニューキーＡ３−５、アドバンストメニューキーＡ３−６が配置表示される。
【０１４８】
再生メニューキーＡ３−１は、各種再生に関するメニューを提示し、設定を行うためのキーであり、例えば再生モード表示エリアＡ１−３に反映される再生モード等を設定することができる。
編集メニューキーＡ３−２は、記録されたファイル単位での編集に関連する各種項目が提示され、例えば、トラック（ファイル）の移動、コピー、削除、トラック分割、ファイルのグループ化、静止画取りだし（例えばサムネイル画像として表示させる静止画の選択である）が行える。また、トラック情報を提示すると共にトラック情報ごとに関する各種設定が行えるトラック情報画面への移行のための操作もここで行える。
【０１４９】
落書き・効果メニューキーＡ３−３は、落書き機能、及びシーンチェンジ（フェードイン、フェードアウト、ワイプなど）、音声特殊効果、画像特殊効果（モザイク、セピア処理）などの各種特殊再生効果の設定を行うためのメニューが提示される。
また、本実施の形態のビデオカメラでは、ユーザがＧＵＩに従って録画及び操作を行っていくことで、簡易に映像作品を作成できる機能を有している。スタジオメニューキーＡ３−４は、このような簡易映像作品作成機能に対応したメニューが提示される。
【０１５０】
設定メニューキーＡ３−５は、例えば表示部６Ａとしての画面の明るさ、パネル色の濃淡、ビューファインダーの明るさ、日時設定、静止画設定時間等の各種設定を行うためのメニューが提示される。
アドバンストメニューキーＡ３−６は例えばパーソナルコンピュータなどの外部機器との接続機能やデモモード等に関してのメニューを提示する。
【０１５１】
また、表示領域の下段には、トラック情報表示エリアＡ５が設けられる。このトラック情報表示エリアＡ５には、サムネイル表示エリアＡ２において選択されている（ポインタアイコンｉ１０が配置されている）サムネイル画像が対応するトラックについての情報が表示される。
ここでは、先ずトラックナンバ表示エリアＡ５−１においてトラックナンバが示され、続いて、日時／タイトル表示エリアＡ５−２において、記録日時とそのトラックに対して付されているタイトルが所定時間（例えば数秒）ごとに交互に表示される。時間表示エリアＡ５−３には、そのトラックの総時間が表示される。
また、ショートカットアイコンＡ５−４は、選択されているサムネイル画像が対応するファイルの種別、グループ化設定の有無等に対応して、先に述べた各種アイコン（例えば、動画アイコンｉ１、静止画アイコンｉ２、インタビューファイルアイコンｉ３、グループアイコンｉ４、メモファイルアイコンｉ５）の何れかが表示される。そして、このショートカットアイコンＡ５−４に対してポインティング操作を行うと、トラック情報画面に移行することができるようになっている。
【０１５２】
ここで、メニューキーエリアＡ３に対する操作例として、再生メニューキーＡ３−１の場合を例に挙げて、図１２により説明しておく。
例えば図１２に示すようにして、再生メニューキーＡ３−１に対して例えばペン３２０などによりポインティング操作を行ったとすると、第１ポップアップメニューが表示される。第１ポップアップメニューには、この場合、「←戻る」、「スポーツ分析モード」「プレイモード」「ソート」のメニュー項目が表示されている。この第１ポップアップメニューが表示されている状態で、例えばジョグダイヤル３０３を回転操作（或いはペン等による画面に対するドラッグ操作などとしてもよい）すると、その回転方向に応じて、選択される項目が移動していくようにされる。そして、例えば図のようにして、「プレイモード」を選択して、ジョグダイヤル３０３を押圧操作する（或いはペンによる一定時間以上のポインティング操作などとしてもよい）と第２ポップアップメニューが表示される。
【０１５３】
ここで、第２ポップアップメニューには、「ノーマル」「ディスクリピート」「シャッフル」「イントロスキャン」の４つの項目が表示されている。そして、ユーザは、この第２ポップアップメニュー上で、上記した第１ポップアップメニューに対する操作と同様の操作を行うことで、これらの項目のうちから所望の項目を選択、決定することができる。このようにして設定されたプレイモードは、例えば図１１に示した再生モード表示エリアの表示内容に反映される。
【０１５４】
９．本実施の形態のファイル検索機能
９−１．第１例
続いて、上述してきた本実施の形態のビデオカメラの構成を前提として、本実施の形態としてのファイル検索機能について説明を行っていくこととする。
以降説明するファイル検索機能としては、ビデオカメラの表示パネル６７に対して再生画像が表示されている状態にあっても、この表示パネル６７上で、再生出力可能なファイルの検索を行って、例えばこの検索したファイルへの再生動作に移行させることが可能とされているものである。
そこで先ず、本実施の形態のファイル検索機能の第１例から説明を行うこととする。
【０１５５】
図１３は第１例としてのファイル検索機能に対応する操作手順例を、表示パネル６７における表示状態と対応させて示している。
図１３（ａ）においては、ビデオカメラが或るファイルを再生中にあることで、表示パネル６７においては、そのほぼ全表示領域を使用して再生主画面ＰＰが表示されている状態にあることが示されている。即ち、ファイルの再生画像が表示出力されている状態にある。このとき、再生ファイルが動画ファイルであればその動画が表示され、静止画ファイル又はインタビューファイルであれば静止画が表示されていることになる。また、音声のみのインタビューファイルを再生している場合には、再生主画面ＰＰとしては非表示となる。ただし、例えば音声のみのインタビューファイル、つまり音声トラックであることを示すようにデザインされた画像等を表示させるようにすることも可能である。
【０１５６】
そしてこの図１３（ａ）に示す表示状態の下、例えばユーザがジョグダイヤル３０３に対して回転操作を行ったとすると、表示パネル６７の表示内容は図１３（ｂ）に示すようにして変化する。
【０１５７】
図１３（ｂ）に示す表示パネル６７の表示内容としては、図１３（ａ）に示したと同じ再生主画面ＰＰの表示を継続させていると共に、例えばこの再生主画面ＰＰ上の左下側に対して検索用子画面ＣＰが重畳表示されるものである。この検索用子画面ＣＰには、実際には、図１１に示した操作画面上において表示されていいたサムネイル画像ＳＮのうちの何れか１つが、同様の表示形態によって表示されることになっている。つまり、この検索用子画面ＣＰの領域に対しては、この第１例の場合であれば、現在装填されているディスクに記録されているファイルに対応したサムネイル画像が表示されるものである。
なお、このときには、図１１にて説明した各サムネイル画像ＳＮ内に表示されるべき各種アイコンを表示させるようにして良いものである。ただし、検索用子画面ＣＰはその領域サイズが小さいので、各種アイコンについての表示は省略することも考えられる。また、実際に提示すべきとされる全てのアイコンを表示させるのではなく、例えば少なくともファイル種別が把握できる程度に、代表的なアイコンを表示させるようにしても良いものである。
【０１５８】
ここで、上記した最初のジョグダイヤル３０３の回転操作に応じて初期的に表示される検索用子画面ＣＰ内に対して、どのファイルのサムネイル画像を表示すべきなのかについては、本実施の形態においては次のようにして決められているものとする。
先ず、ジョグダイヤル３０３を正方向（図７（ｂ）参照）に回転させた場合には、現在再生主画面ＰＰに表示されているファイルを基点に、再生順的に次に再生されるべきファイルに対応したサムネイル画像を表示するものとしている。
また、ジョグダイヤル３０３を逆方向（図７（ｂ）参照）に回転させた場合には、現在再生主画面ＰＰに表示されているファイルを基点に、再生順的に１つ前に再生されるべきファイルに対応したサムネイル画像を表示する。
従ってユーザは、ここまでの段階では、ジョグダイヤル３０３の回転操作方向に従って初期表示される検索用子画面ＣＰを見ることで、現在再生中のファイルの次、若しくは前の再生順のファイルが何であるのかを視覚的に把握することが可能とされる。
【０１５９】
そして、例えば図１３（ｂ）に示すようにして検索用子画面ＣＰが表示されている状態の下で、更にジョグダイヤル３０３に対する回転操作が行われたとする。すると、図１３（ｂ）及び図１３（ｃ）として示すように、ジョグダイヤル３０３の回転方向とクリック数に応じて、再生順的にファイルが送られる、或いは戻されるようにして、検索用子画面ＣＰ内に表示されるサムネイル画像が変化していくようにされる。
つまり、ジョグダイヤル３０３を正方向に回転させた場合には、クリック感が得られるごとに、順次、再生順的に次となるファイルに対応するサムネイル画像が表示されるように切り換わっていくことになる。
これに対し、ジョグダイヤル３０３を逆方向に回転させた場合には、クリック感が得られるごとに、順次、再生順的に前のファイルに対応するサムネイル画像が表示されるように切り換わっていくものである。
【０１６０】
即ち本実施の形態では、上記のようにしてジョグダイヤル３０３に対する回転操作を行って検索用子画面ＣＰに表示されるサムネイル画像を変更させていくことで、例えばファイルを再生順に従って送り／戻しを行うようにしてファイル検索を行うことが可能とされている。
そして、このときには再生主画面ＰＰは継続的に表示されているものであり、従って、表示パネル６７に検索用子画面ＣＰが重畳表示されている状態では、現在再生出力されているファイルの画像状態を表示させながらファイル検索を行うことが可能とされているものである。
【０１６１】
そして、例えば上記したジョグダイヤル３０３の回転操作によってファイル検索を行い、或るファイルに対応するサムネイル画像が検索用子画面ＣＰ内に表示されている状態の下で、ジョグダイヤル３０３に対して押圧操作を行ったとする。
この時の状態として、例えば検索用子画面ＣＰ内に表示されているサムネイル画像に対応するファイルが画像ファイルであったとする。つまり動画ファイル又は静止画ファイルであったとする。そして、この状態が、先に説明した図１３（ｂ）に示す場合であったとする。
上記したジョグダイヤル３０３に対する押圧操作は、再生指示操作となる。従って、図１３（ｂ）に示すようにして、画像ファイルに対応するサムネイル画像を検索用子画面ＣＰ内に表示させた状態でジョグダイヤル３０３に対する押圧操作が行われたとすれば、これまでの再生主画面ＰＰとしてファイル再生は終了され、これまで検索用子画面ＣＰ内に表示されていたサムネイル画像が対応するファイルの再生出力が開始される。そしてこれに伴って、図１３（ｅ）に示すようにして、表示パネル６７においては、この再生出力が開始されたファイルの再生画像が再生主画面ＰＰとして表示される。
【０１６２】
なお、本実施の形態では、上記のようにして、再生ファイルの変更が行われた場合には、これまで表示させていた検索用子画面ＣＰは消去させるようにしている。そして、この後において、再度ジョグダイヤル３０３に対する回転操作が行われたのであれば、再び、図１３（ａ）から図１３（ｂ）への遷移として説明したようにして、検索用子画面ＣＰの表示が行われる。
【０１６３】
一方、例えば図１３（ｃ）に示す状態では、検索用子画面ＣＰ内には、或るインタビューファイルに対応するサムネイル画像が表示されているものとする。そしてこの状態の下でジョグダイヤル３０３に対する押圧操作（再生指示操作）を行ったとすれば、この場合には図１３（ｆ）への遷移として示すようにして、図１３（ｃ）に示した検索用子画面ＣＰ内のサムネイル画像が対応するインタビューファイルの再生出力が開始される。
ここで再生出力されるインタビューファイルが静止画を付随するものである場合には、図１３（ｆ）に示す表示パネル６７には、その再生タイミングに同期した静止画像が再生主画面ＰＰとして表示されることになる。
これに対して、再生出力されるインタビューファイルが、静止画を付随しない音声データのみの場合には、図１３（ｆ）に示す表示パネル６７は、前述もしたように非表示となる。つまり、再生主画面ＰＰとしての画像表示は行われない。
【０１６４】
以上の説明から分かるように本実施の形態では、表示パネル６７上に対して再生主画面ＰＰと共に検索用子画面ＣＰを表示させることで、現在再生出力中にある画像表示を消去することなく、これを継続させながら、ファイルの検索を行って所望のファイルの再生に切り換えることが可能とされている。
【０１６５】
なお、上記図１３においては、表示パネル６７の左下側に検索用子画面ＣＰを表示させているが、これに限定される必要はないものであり、実際には変更されて構わない。
また、ここでは再生主画面ＰＰ内の所定領域に対して検索用子画面ＣＰを重畳表示させるようにしているが、例えば表示形態によっては、再生主画面ＰＰと検索用子画面ＣＰとが重ならないように、それぞれ異なる表示領域に表示させるようにすることも考えられる。
さらには、検索用子画面ＣＰ内に表示すべきサムネイル画像数（ファイル数）としては、１つに限定されるものではなく、例えば再生順的に連続する２以上のファイルに対応するサムネイル画像を所定の配列状態によって表示させることも考えられる。
【０１６６】
続いて、上記図１３に示した第１例としてのファイル検索機能を実現するための処理動作を図１４に示す。なお、この図に示す処理動作は、例えばビデオコントローラ３８がマスターコントローラとして機能したうえで、必要に応じて、データ処理／システムコントロール回路３１、ドライバコントローラ４６等が制御処理を実行することにより実現される。
【０１６７】
図１４に示す処理は、ステップＳ１０１の処理として示されるように、ディスクに記録されているファイルのうちから、指定された或るファイルの再生を開始するための制御処理を実行しているところから開始されるものとしている。この処理によって、表示パネル６７には、例えば図１３（ａ）により説明したようにして再生主画面ＰＰとしての再生画像表示が行われる。
【０１６８】
次のステップＳ１０２においては、ファイル再生が開始されてから最初のジョグダイヤル３０３に対する回転操作が行われるのを待機しており、ここでジョグダイヤル３０３に対する回転操作の行われたことが判別されたのであれば、ステップＳ１０３に進むことになる。
【０１６９】
ステップＳ１０３においては、上記したジョグダイヤル３０３に対する回転操作に応じて、検索用子画面ＣＰを初期表示させるための処理を実行する。
つまりは、図１３（ａ）から図１３（ｂ）への遷移として説明したようにして、ジョグダイヤル３０３の回転方向に応じて、現在再生中のファイルの次に再生されるべきファイル、又は１つ前のファイルに対応するサムネイル画像を検索用子画面ＣＰとして表示させる。
【０１７０】
このためには、例えばビデオコントローラ３８は、ジョグダイヤル３０３の操作に応じた操作情報として、その回転方向を検出する。そして、検出した回転方向に応じて、現在再生中にあるファイルの次のファイル、若しくは１つ前のファイルを特定し、この特定されたファイルに対応するサムネイル画像データのファイルをディスクのサムネイルトラックから読み出す。ただし、既にサムネイル画像がディスクから読み出されて例えばバッファメモリ３２に格納されている状態にあるとすれば、このバッファメモリ３２から検索を行って、必要なサムネイル画像データの読み出しを行えばよいものとされる。
そして、上記のようにして読み出しを行って取得したサムネイル画像データを、例えば図１３（ｂ）に示したようにして、検索用子画面ＣＰとしての位置に重畳表示されるように、再生主画面ＰＰとしての現在の再生画像データ上に合成し、表示出力させるようにするものである。
【０１７１】
上記ステップＳ１０３による検索用子画面ＣＰの初期表示が完了すると、次のステップＳ１０４においては、再度、ジョグダイヤル３０３の回転操作が行われたか否かについて判別している。ここで判別されるジョグダイヤル３０３の回転操作は、図１３（ｂ），（ｃ）間での遷移として説明した、検索用子画面ＣＰ内のサムネイル画像についての、ファイル再生順に従った送り／戻し操作に対応する。
そして、ステップＳ１０４において否定結果が得られた場合にはステップＳ１０６に進むが、肯定結果が得られた場合にはステップＳ１０５に進む。
【０１７２】
上記ステップＳ１０４にてジョグダイヤル３０３に対する回転操作が行われたことが判別されたときに対応しては、その操作情報として、回転方向とクリック数の情報が得られる。そこで、次のステップＳ１０５においては、これら回転方向とクリック数の情報に応じて、検索用子画面ＣＰの領域に表示させるサムネイル画像を変更していくための表示制御処理を実行する。
この場合には、回転方向とクリック数の情報に応じて、例えば現在、検索用子画面ＣＰに対して表示されているサムネイル画像が対応するファイルを基点として、それより再生順的に後ろとされる目的のファイル、又は再生順的に前とされる目的のファイルを特定し、この特定されたファイルに対応するサムネイル画像を検索用子画面ＣＰの領域に重畳表示させるものである。
このステップＳ１０５の処理が終了した後は、ステップＳ１０６に進むようにされる。
【０１７３】
ステップＳ１０６においては、ジョグダイヤル押圧操作が行われたか否かが判別される。ここでのジョグダイヤル押圧操作は、例えば図１３（ｂ）→（ｅ）、又は図１３（ｃ）→（ｆ）の遷移として説明したように、検索用子画面ＣＰに表示されているサムネイル画像に対応するファイルについての再生を開始させるための決定操作となる。
【０１７４】
ステップＳ１０６において否定結果が得られた場合にはステップＳ１０４の処理に戻るようにされるが、肯定結果が得られたのであればステップＳ１０７に進む。
ステップＳ１０７においては、先ずこれまで再生していたファイル再生動作を停止させる。これにより、例えば表示パネルに再生画像が表示されていたのであれば、この再生画像は出力されないことになる。また、これと同時に、これまで重畳表示していた検索用子画面ＣＰも消去される。
そして、次のステップＳ１０８においては、ファイルへのアクセスを実行する。つまり、ビデオコントローラ３８は、先のステップＳ１０６により判別された決定操作時において、検索用子画面ＣＰに表示されていたサムネイル画像が対応するファイルを認識し、このファイルが記録されているディスク上の記録位置に対してアクセスを行うものである。
そしてアクセスが完了したのであれば、ステップＳ１０１に戻ることで、このアクセス位置からファイル再生を開始させる。これにより、検索用子画面ＣＰ上で検索され、選択決定が行われたファイルの再生が開始される。そして、このファイルが画像データとしての情報を有するものであれば、表示パネル６７に対しては、その再生画像が再生主画面ＰＰとして表示出力される。
【０１７５】
なお、この図ではその処理を省略したが、例えば検索用子画面ＣＰが表示されている状態の下で、一定時間以上ジョグダイヤル３０３に対する操作が行われなかった場合には、検索用子画面ＣＰの重畳表示を消去して、再生主画面ＰＰとしてのみの表示が行われるものとされる。
また、これまでの説明では、検索用子画面ＣＰに対する操作は、ジョグダイヤル３０３を用いて行うものとしているのであるが、これに限定されるものではなく、他の所定の操作子が用いられて構わないものである。
【０１７６】
９−２．第２例
続いて、第２例としての本実施の形態のファイル検索機能について説明する。第２例としては、本実施の形態のビデオカメラ装置と、例えばサーバとして機能する機器とがネットワークを介して接続されて通信システムを構築した場合に対応する。
そこで先ず、この第２例に対応する通信システムの構成例について図１５を参照して説明しておくこととする。
【０１７７】
図１５には、通信システムの構成として、本実施の形態のビデオカメラ０と、サーバ４００としてのコンピュータ装置とを相互接続した例が示されている。
この場合、ビデオカメラ０とサーバ４００とはＥｔｈｅｒｎｅｔにより接続されている。つまり、物理的には例えばビデオカメラ０のＥｔｈｅｒｎｅｔ端子であるＩ／Ｆ端子Ｔ３と、サーバ４００側のＥｔｈｅｒｎｅｔ端子とがケーブルにより接続されているものである。
【０１７８】
なお、図１５においては、ビデオカメラ０とサーバ４００とをそれぞれ単体で接続した例が示されているが、例えば実際にはビデオカメラ０をＬＡＮの伝送路に対して接続するようにて、ＬＡＮと接続された他のコンピュータ装置等の機器と通信可能なシステム構成としても良いものである。
また、本実施の形態の通信システムとしては、本実施の形態のビデオカメラ０と、他の画像音声データ記録再生機器とを通信可能に接続するような構成とされても良いものであるものである。この場合に関しての通信のためのインターフェイスとしては、上記したＥｔｈｅｒｎｅｔが採用されてもよいのであるが、例えば、相互接続される機器が互いに画像音声記録再生装置であることを考慮して、ＩＥＥＥ１３９４やＵＳＢ(Unversal Serial Bus)などの他のデータインターフェイスを採用してもよいものである。つまりネットワーク接続を敢えて行う必要はないものとされる。
例として、ＩＥＥＥ１３９４インターフェイスにより接続を行うとすれば、外部インターフェイス８はＩＥＥＥ１３９４インターフェイスに対応する構成を採り、Ｉ／Ｆ端子Ｔ３はＩＥＥＥ１３９４に対応する端子形状を有して備えられることになる。
ただし、以降の説明としては、図１５に示したビデオカメラ０と、パーソナルコンピュータ装置としてのサーバ４００とを相互接続した場合を前提とする。
【０１７９】
次いで、第２例としてのファイル検索機能について説明していく。
第２例としては、ビデオカメラ０とサーバ４００とがＥｔｈｅｒｎｅｔにより接続されていることから、ビデオカメラ０とサーバ４００との間では、互いの記録媒体に記録されているデータの送受信が可能とされる。従って、本実施の形態の場合であれば、例えばサーバ４００側に備えられるハードディスクなどの記録媒体に記録されている画像ファイル（動画ファイル、静止画ファイル）や音声ファイルなどのＡＶ(Audio Visual)ファイルを、サーバ４００からビデオカメラ０に対して送信することができる。そして、ビデオカメラ０側では、サーバ４００から送信されてきたファイルを受信してディスクに記録することが可能とされる。むろんのこと、これとは逆に、ビデオカメラ０にてディスクから再生したファイルをサーバ４００に送信して、サーバ４００側においてこの送信されたデータについて保存、各種処理を施すようなことも可能となる。
【０１８０】
そして本実施の形態の第２例としては、上記のようにして画像／音声ファイルの送受信が可能なことを前提として、次のようなファイル検索機能を提供する。そして以降、第２例としてのファイル検索機能を、図１６に示すフローチャートを参照しながら説明していくこととする。
【０１８１】
図１６においては、ビデオカメラ０の処理とサーバ４００の処理とが示されている。
ビデオカメラ０の処理は、図１４の場合と同様に、ビデオコントローラ３８がマスターコントローラとして機能し、データ処理／システムコントロール回路３１、ドライバコントローラ４６等が適宜処理を実行することで行われるものとされる。一方、サーバ４００の処理は、このサーバ４００を構成する例えばパーソナルコンピュータ装置内のＣＰＵが実行するものとされる。
【０１８２】
この場合、先ずビデオカメラ０側においては、ステップＳ２０１において、表示パネル６７に対してサムネイル表示を開始させるための要求が発生するのを待機している。なお、ここでのサムネイル表示とは、サーバ（即ち外部ソース）に記録されているＡＶファイルについてのサムネイル画像を一覧表示させることをいうものである。
そして、例えば操作部７に対するサムネイル表示開始のための所定操作、或いはサーバ４００からのリモート制御によるサムネイル表示開始要求コマンドの送信などが行われることで、サムネイル表示開始要求が発生したとすると、ステップＳ２０２に進むようにされる。
【０１８３】
ステップＳ２０２においては、サーバ４００に対してサムネイル画像のデータを要求するためのコマンドを送信するための処理が実行される。
【０１８４】
サーバ４００側においては、先ずステップＳ３０１により、クライアントとしてのビデオカメラ０から送信されるサムネイル画像データ要求コマンドの受信を待機しており、ここで、サムネイル画像データ要求コマンドを受信したことが判別されると、そのレスポンスとして、次のステップＳ３０２の処理によって、サムネイル画像データの送信を行う。このとき、サーバ４００側では、例えばハードディスクなどの記録媒体に記録されているサムネイル画像のデータを読み出す、又は、ハードディスクに記録されているＡＶファイルの一部データを基にサムネイル画像を生成するなどし、このようにして得られたサムネイル画像データを送信出力するようにされる。なお、各サムネイル画像データファイルには、その元とされるＡＶファイルを識別するための情報も付随されているものとされ、これによって以降のサムネイル表示に対する操作に応じたファイル再生やファイル読み込み動作を可能としている。
【０１８５】
上記のようにしてサムネイル画像データが送信されるのに応じてビデオカメラ０では、ステップＳ２０３として示すようにして、送信されてくるサムネイル画像データを受信する。また、この場合には、ディスクに対してこのサムネイル画像データを記録するようにしている。
そして、続くステップＳ２０４の処理によって、送信されてきたサムネイル画像データに基づいて表示パネル６７に対してサムネイル表示を行うようにされる。このときには、例えば図１１にサムネイル表示エリアＡ２として示したような表示形態によってサムネイル表示を行うようにすれば良いものである。
【０１８６】
そして、このステップＳ２０４としてのサムネイル表示は、例えば次のステップＳ２０５としての再生指示操作の待機をしながら継続的に実行しているものとされる。そしてこのステップＳ２０５において、例えばサムネイル表示上における或るサムネイル画像を選択したうえでの再生指示操作が行われたことが判別されると、ステップＳ２０６に進むようにされる。
【０１８７】
ステップＳ２０６においては、ファイル要求コマンドを送信する。このファイル要求コマンドは、上記ステップＳ２０５において再生指示を受けたとされるときにサムネイル表示上で選択されていたファイル（サムネイル画像）を要求するためのコマンド内容を有する。
【０１８８】
サーバ４００側においては、ステップＳ３０３の処理によってファイル要求コマンドの受信を待機している。そして、上記ステップＳ２０６の処理によって送信されるファイル要求コマンドを受信すると、ステップＳ３０３にて肯定結果が得られてステップＳ３０４に進むようにされる。
【０１８９】
ステップＳ３０４においては、上記ファイル要求コマンドによって要求されたファイルを記録媒体から読み出し、ビデオカメラ０に対して送信するための処理を実行する。
そして、ビデオカメラ０側では、ステップＳ２０７の処理によって、送信されてきたファイルの受信、及びこの受信したファイルの記録を開始させる。そして、これと並行して、例えば次のステップＳ２０８の処理として示すようにして、受信したファイルのデータをビデオカメラ０側で再生出力するための制御処理が実行される。つまり、受信したファイルが画像データファイルであれば、その画像を表示部６７に対して再生主画面ＰＰとして出力するようにされる。また音声データを有するファイルであればこの音声を出力させる。
このように第２例にあっては、例えば図１３（ａ）に示した再生主画面ＰＰとしての再生画像を表示するのにあたり、サーバから送信されてきたデータを表示させるようにしているものである。
【０１９０】
また、このようにして再生出力を開始させた後は、実際には所要の機会でもって、続くステップＳ２０９として示すようにして、サーバ４００に対して状況通知を行うようにされる。この状況通知としては、現在の再生状況や表示状態等に応じた所要の情報内容を有する情報を送信するものであり、例えばこの場合であれば、少なくとも現在再生中にあるファイルを識別する情報と、後述するようにして表示される検索用子画面ＣＰに表示されているファイル（サムネイル画像）を識別するための情報を有しているものとされる。
【０１９１】
そして、次のステップＳ２１０においては、ファイルの受信及びディスクへの記録を継続するための制御処理を実行している。
このステップＳ２１０で受信及び記録を行っているファイルであるが、先ず、ステップＳ２０８以降の処理に最初に移行した場合には、先のステップＳ２０６にて要求したファイルの受信及び記録を行うことになる。
そして、例えばこのファイルの受信及び記録が終了したとされると、サーバ４００からは、残りのファイルから適宜選択を行って順次ビデオカメラ０側に送信してくるようにされる。これは、後述するようにして、ビデオカメラ０から逐次送信する状況通知の内容に基づいて選択したファイルが送信されてくるものである。
そして、ステップＳ２１０の処理としては、上記のようにしてサーバ４００から送信されてくるファイルも受信してディスクへの記録を行うようにされるものである。
【０１９２】
つまり、本実施の形態にあっては、ファイルの再生出力を行いながらも、メモリに対する書き込み／読み出し等に余裕があれば、状況通知としての指示によってサーバ４００からファイルをアップロードさせ、これを受信してディスクに記録するというバックグラウンドでの動作を行うようにされるものである。
なお、通知状況の内容に基づいて、サーバ４００がどのようにして送信すべきファイルを選択するのかについては後述する。
【０１９３】
また、ビデオカメラ０では、ステップＳ２１０に続くとされるステップＳ２１１において、例えば図１３により説明したような、検索用子画面ＣＰを表示させ、この検索用子画面ＣＰ上でファイル検索を行うための操作（ジョグダイヤル回転操作）に応じた表示等に関する制御処理を実行するようにされている。なお、ジョグダイヤル３０３に対する回転操作が行われないのであれば、このステップＳ２１１及び続くステップＳ２１２の処理は省略されて、ステップＳ２１４に進むようにされる。
【０１９４】
ステップＳ２１１に続くとされるステップＳ２１２としての処理によっては、検索用子画面ＣＰ上にて検索したファイルについての決定操作（ジョグダイヤル押圧操作）が行われたか否かについて判別しており、ここで否定結果が得られたのであればステップＳ２１４の処理に進む。
これに対して、ステップＳ２１２において決定操作が行われたと判別された場合にはステップＳ２１３に進む。
【０１９５】
ステップＳ２１３においては、上記決定操作により再生出力が指定されたファイルが、既にビデオカメラ０側での取り込みが完了してディスクに記録されているか否かが判別される。ここで、肯定結果が得られた場合には、ステップＳ２０８に戻るようにされるが、この場合のステップＳ２０８においては、例えばディスクに記録された指定ファイルのデータを再生出力するようにされる。そして、以降の処理を実行していく。
また、ステップＳ２１３において否定結果が得られた場合には、ステップＳ２０６に戻ることで再生指定されたファイルの送信を要求し、この後ステップＳ２０７以降の処理を実行することで、この受信したファイルのデータについての受信、記録を実行しながら再生出力を行うようにされる。
何れにせよ、ステップＳ２１２において決定操作が行われたと判別された場合には、サーバ４００からダウンロードしたファイルを対象としての、図１３（ｂ）→（ｅ）又は図１３（ｃ）→（ｆ）に示したような、指定ファイルの再生開始が行われるものである。
【０１９６】
ところで、このような処理では、ステップＳ２０８によるディスクに対するファイル再生を行いつつ、ステップＳ２１０による受信ファイルの記録が実行される場合があることになるが、本実施の形態のビデオカメラとしては、例えばバッファメモリ３２の容量さえ充分であればこのような動作は可能とされる。つまり、バッファメモリ３２に対して記録データ及び再生データを蓄積したうえでディスクに対して高速に書き込み及び読み出しを行うようにすることで、ディスクに対する書き込み及び読み出し動作に休止期間を設けたとしても、記録データ及び再生データの時系列的連続性を途絶えさせないようにして記録再生を行うことが可能とされるものである。
【０１９７】
また、ステップＳ２１４の処理としては、再生終了、又は再生停止となったか否かが判別される。ここでいう再生終了とは、例えばサーバ４００にて保存され、例えば再生順に従って再生出力すべきとされるファイルの全てについての、ビデオカメラ０での再生出力が完了したことを指す。また、再生停止とは、例えばビデオカメラ０側に対する再生停止操作（又はサーバからの再生停止のためのリモート制御であっても良い）によってこれまでの再生出力動作を中断させることを指す。
【０１９８】
そして、上記ステップＳ２１４にて否定結果が得られたとすれば、ステップＳ２０８の処理に戻ることでこれまでの再生動作を継続させることになる。そして、例えばファイル検索のためのジョグダイヤル操作が行われたのであれば、これに応じた処理を実行する。
これに対して、ステップＳ２１４にて否定結果が得られたのであれば、ステップＳ２１５に進んで、所要の終了処理を実行する。なお、終了処理の１つとしては、ビデオカメラ０側の再生動作終了に対応してのキャンセル通知を行うようにされる。
なお、ステップＳ２０６〜Ｓ２１４としての処理を繰り返している過程において、例えばダウンロードすべきとされる全てのファイルについてのディスクへの記録が終了したとされる場合には、ステップＳ２０９による状況通知処理やステップＳ２１０におけるファイル受信、記録処理等、ファイルのダウンロードに必要とされる処理は省略してパスするようにされる。
【０１９９】
ここから、サーバ４００側の処理として、残るステップＳ３０５以降の処理について説明を行っていく。
ステップＳ３０５では、ビデオカメラ０から送信される状況通知の受信を待機している。そして状況通知を受信したとされるとステップＳ３０６に進む。
【０２００】
ステップＳ３０６では、受信した状況通知の内容に基づいてファイルを選択し、この選択したファイルを記録媒体から読み出して送信出力するための処理を実行する。
【０２０１】
ここで、上記ステップＳ３０６における、状況通知の内容に基づくファイル選択としては次のような規則に従って行われるものとする。
▲１▼  ビデオカメラ０の動作状況として、再生主画面ＰＰによるファイルの再生出力のみを行って、検索用子画面ＣＰを表示させていない場合には、この再生主画面ＰＰにより再生出力中のファイルよりも再生順が後となるファイルにおいて、ディスクに未だ記録されていないとされるファイルのうちから最も再生順の若いファイルを選択する。
▲２▼  ビデオカメラ０の動作状況として、再生主画面ＰＰ上に対して検索用子画面ＣＰが表示されている場合には、現在、検索用子画面ＣＰに表示されているサムネイル画像に対応するファイルを選択する。
上記▲１▼、▲２▼に記述した規則に従うことで、例えば実際としては、現在再生出力中とされるファイルの後に再生出力される可能性が最も高いとされるファイルを選択してビデオカメラ０に対してアップロードするように配慮されるものである。
【０２０２】
次のステップＳ３０７においては、ビデオカメラ０から送信されるキャンセル通知を受信したか否かが判別される。ここで、キャンセル通知を受信しないと判別された場合には、ステップＳ３０８に進み、ビデオカメラに対して送信すべき全ファイルの送信が完了したか否かが判別される。ここで、否定結果が得られたとすれば、ステップＳ３０５の処理に戻るようにされる。
これに対して、上記ステップＳ３０７又はステップＳ３０８にて肯定結果が得られた場合には、これまでの処理を終了させて元のルーチンに戻るようにされる。
【０２０３】
なお、本発明は上記した構成に限定されるものではなく、各種変更が可能とされる。
例えば本発明は、実施の形態として示したビデオカメラ装置以外にも適用が可能である。つまり、本発明としては、ビデオカメラ以外の画像の再生が可能なオーディオ・ビデオ機器であればよい。また、画像音声が記録再生される記録媒体としてもディスクには限定されず、例えばフラッシュメモリなどのメモリ素子による記録媒体等、特にランダムアクセスが可能とされる記録媒体であれば良いものとされる。
【０２０４】
【発明の効果】
以上説明したように本発明は、主画面に対して記録媒体から再生出力すべき画像ファイルを表示させると共に、子画面に対しては、サムネイル画像を表示させるようにしている。そのうえで、例えば子画面が表示されている状態で再生指示が行われた場合には、このとき子画面に表示されているサムネイル画像に対応する画像ファイルを、主画面に表示出力させるようにしている。
【０２０５】
これにより本発明としては、例えば再生主画面再生画像を表示出力させてこれを見ながらも、検索用子画面表示及びこれに対する操作によって同時にデータの検索、再生関連操作を行うことが可能になるものであり、それだけ、ユーザの使い勝手は向上される。
【０２０７】
また、上記発明の構成に関しては、副データを表示させているようにしていることで、例えば音声データのように、そのデータの一部として画像情報を含まないような場合にも、例えば音声データを示すアイコンなどを副データとして表示させるようにしている。また、音声データ主体で、これに静止画データが付随するようなデータの場合には、この静止画データを副情報として表示させるようにしている。そしてこれによって、例えば音声データ若しくは音声主体のデータについての視覚的な検索の容易性を高めているものである。
【０２０８】
また、上記構成のもとで、例えばユーザによる指示操作によって、第２の表示領域にデータの一部を表示すべき第２のデータ（即ちファイル）を変更できるよう構成すれば、ユーザは第２の表示領域に対して表示させるべきファイルを変更させていくための操作を行うことが可能となるため、検索機能はより充実されることになる。
【０２０９】
また、第１の表示領域内における一部領域を利用して第２の表示領域を重畳表示するようにすれば、例えば表示画面が比較的小さいという制約があるとしても、この表示画面を有効に利用して第１の表示領域と第２の表示領域とに対して画像を同時表示させることが可能になるものである。
【０２１０】
更に、本発明としては、記録媒体に記録されるべきデータを取得するためのデータ取得手段を備えることで、より広範な用途を得ることが可能になる。具体的には、データ取得手段としてＣＣＤ撮像素子やマイクロフォンなどに代表される撮像画像や収音を行う装置を備えれば、ビデオカメラ装置やスチルカメラ装置等として好適となり、また、外部機器と通信可能なインターフェイスを備えれば、外部機器からダウンロードしたデータの検索を行うという機能が得られる。
また、本発明としては、ランダムアクセスが可能な記録媒体に対応するように構成することで検索動作が軽快なものとなるために、ユーザにとってより有用な検索機能を提供することが可能になるものである。
【図面の簡単な説明】
【図１】本発明の実施の形態のビデオカメラに対応するディスクのトラック構造を示す説明図である。
【図２】実施の形態のビデオカメラに対応するディスクのトラック部分を拡大して示す説明図である。
【図３】実施の形態のビデオカメラに対応するディスクの仕様を示す説明図である。
【図４】実施の形態のビデオカメラの内部構成のブロック図である。
【図５】実施の形態のビデオカメラのメディアドライブ部の内部構成のブロック図である。
【図６】実施の形態のビデオカメラの側面図及び平面図である。
【図７】実施の形態のビデオカメラの正面図及び背面図である。
【図８】可動パネル部の動きを示す斜視図である。
【図９】実施の形態に対応するディスク内のデータ構造例を示す概念図である。
【図１０】実施の形態に対応するディスク内のデータ構造例を、ディスクの物理領域に対応させて示す概念図である。
【図１１】本実施の形態のビデオカメラにおける操作画面（サムネイル表示）の表示形態例を示す説明図である。
【図１２】再生メニューキーに対する操作例を示す説明図である。
【図１３】本実施の形態の第１例としてのファイル検索機能を、表示パネル６７の表示形態と共に示す説明図である。
【図１４】第１例としてのファイル検索機能を実現するための処理動作を示すフローチャートである。
【図１５】第２例としてのファイル検索機能に対応するシステム構成例を示す説明図である。
【図１６】第２例としてのファイル検索機能を実現するための処理動作を示すフローチャートである。
【図１７】従来例としてのファイル検索のための手順を示す説明図である。
【符号の説明】
１  レンズブロック、２  カメラブロック、３  ビデオ信号処理部、４  メディアドライブ部、５  デッキ部、６  表示／画像／音声入出力部、６Ａ  表示部、６Ｂ  タッチパネル、７  操作部、８  外部インターフェイス、９  電源ブロック、１１  光学系、１２  モータ部、２２  サンプルホールド／ＡＧＣ回路、２３  Ａ／Ｄコンバータ、２４  タイミングジェネレータ、２５  カメラコントローラ、３１  データ処理／システムコントロール回路、３２  バッファメモリ、３３  ビデオ信号処理回路、３４  メモリ、３５  動き検出回路、３６  メモリ、３７  音声圧縮エンコーダ／デコーダ、３８  ビデオコントローラ、３９  プログラムメモリ、４１  ＭＤ−ＤＡＴＡ２エンコーダ／デコーダ、４２  バッファメモリ、４３  二値化回路、４４  ＲＦ信号処理回路、４５  サーボ回路、４６  ドライバコントローラ、５１  ディスク、５２  スピンドルモータ、５３光学ヘッド、５４  磁気ヘッド、５５  スレッドモータ、６１  ビデオＤ／Ａコンバータ、６２  表示コントローラ、６３  コンポジット信号処理回路、６４Ａ／Ｄコンバータ、６５  Ｄ／Ａコンバータ、６６  アンプ、６７  表示パネル、１０１  ＲＦアンプ、１０３  ＡＧＣ／クランプ回路、１０４  イコライザ／ＰＬＬ回路、１０５  ビタビデコーダ、１０６  ＲＬＬ（１，７）復調回路、１０７  マトリクスアンプ、１０８  ＡＤＩＰバンドパスフィルタ、１０９  Ａ／Ｂトラック検出回路、１１０  ＡＤＩＰデコーダ、１１１  ＣＬＶプロセッサ、１１２  サーボプロセッサ、１１３  サーボドライバ、１１４  データバス、１１５  スクランブル／ＥＤＣエンコード回路、１１６  ＥＣＣ処理回路、１１７  デスクランブル／ＥＤＣデコード回路、１１８  ＲＬＬ（１，７）変調回路、１１９  磁気ヘッド駆動回路、１２０  レーザドライバ、１２１  転送クロック発生回路、２０１  カメラレンズ、２０２マイクロフォン、２０３  可動パネル部、２０４  ビューファインダ、２０５  スピーカ、３００  メインダイヤル、３０１  レリーズキー、３０２  削除キー、３０３  ジョグダイヤル、３０４フォトキー、３０５  ズームキー、３０６  フォーカスキー、３０７  逆光補正キー、３０８  再生／ポーズキー、３０９  停止キー、３１０  スロー再生キー、３１１，３１２  サーチキー、３１３  録音キー、３１４  画面表示キー、３１５，３１６  音量キー、３２０  ペン、４００  サーバ、Ａ−１  情報表示エリア、Ａ−２  サムネイル表示エリア、Ａ−３  メニューキーエリア、Ａ−４スクロールバー、Ａ５  トラック情報表示エリア、ｉ１〜ｉ１０，ｉ２０〜ｉ２１  （サムネイル画像上に表示される）アイコン、Ｌｄ  ランド、ＮＷＧ  ノンウォブルドグルーブ、ＷＧ  ウォブルドグルーブ、Ｔｒ・Ａ，Ｔｒ・Ｂ  トラック、Ａ２１  サムネイル画像表示エリア、Ａ２２  ページ変更エリア、Ａ２３操作ボタンエリア
【図１】
0004269465.tif 000005
【図２】
0004269465.tif 000006
【図３】
0004269465.tif 000007
【図４】
0004269465.tif 000008
【図５】
0004269465.tif 000009
【図６】
0004269465.tif 000010
【図７】
0004269465.tif 000011
【図８】
0004269465.tif 000012
【図９】
0004269465.tif 000013
【図１０】
0004269465.tif 000014
【図１１】
0004269465.tif 000015
【図１２】
0004269465.tif 000016
【図１３】
0004269465.tif 000017
【図１４】
0004269465.tif 000018
【図１５】
0004269465.tif 000019
【図１６】
0004269465.tif 000020
【図１７】
0004269465.tif 000021